(57)【特許請求の範囲】
【請求項１】
内部空間に少なくとも部分的に隣接するように構成される複数のサイドパネルであって、２対の対向するサイドパネルを備える、前記複数のサイドパネルと、
前記複数のサイドパネルの間の前記内部空間内に配置される複数のベーンであって、これらの複数のベーンの少なくとも１つはベーン傾斜部とベーン溝とを有し、前記複数のベーンの少なくとも１つは、前記内部空間内に受け入れた流体の少なくとも一部を、前記ベーン傾斜部の少なくとも一部に基づいて前記ベーン溝内に送るように構成され、更に、
前記複数のベーンは、垂直に配置され、水平方向にオフセットする複数の列内に配置され、前記列の少なくとも１つは、前記複数のベーンの少なくとも１つを、前記複数のベーンが前記内部空間を通る間接経路を形成するように包含し、前記複数のベーンは、前記内部空間内に受け入れた流体を、前記複数のベーンの少なくとも１のベーン溝に導くように、少なくとも一部が構成される、前記複数のベーンと、
複数のパネル溝であって、前記複数のサイドパネルの各サイドパネルは、前記複数のパネル溝の少なくとも１のそれぞれのパネル溝に連結され、前記複数のパネル溝の少なくとも１のパネル溝は、前記内部空間内に受け入れられて前記ベーン溝に導かれる流体の少なくとも一部が、前記ベーン溝を介して、更に、前記少なくとも１のパネル溝に導かれるように、前記ベーン溝から流体を受け入れるように構成される、前記複数のパネル溝と、
を備える装置であって、
前記複数の垂直方向に配置され、水平方向にオフセットするベーンの列は、
水平方向に配置された穴あきベーンの上側の列を備え、前記穴あきベーンの少なくとも１つは、受け入れた流体の一部を前記少なくとも１の穴あきベーンの穴あき面に、穴あきベーンの少なくとも１つを通して伝達し、前記流体の他の部分を前記少なくとも１つの穴あきベーンの少なくとも１のベーン溝に導くように構成され、更に、
水平方向に配置された非穴あきベーンの下側の列を備え、前記非穴あきベーンの少なくとも１は、前記穴あきベーンの少なくとも１を通して伝達された流体の一部を、前記少なくとも１の非穴あきベーンの少なくとも１のベーン溝に導くように構成される、
装置。
【請求項２】
前記内部空間を通る前記間接経路は、更に、少なくとも一部が前記内部空間内の煙突効果に基づいて、この間接経路に沿って周囲環境に、前記内部空間を通る空気流が受動的に引き起こされるように構成される、請求項１の装置。
【請求項３】
前記煙突効果は、
筐体の少なくとも一部と周囲環境との間の圧力差、または、
前記筐体の少なくとも一部と周囲環境との間の温度差、の少なくとも一方により、前記内部空間内に引き起こされる、請求項２の装置。
【請求項４】
前記複数のベーンの前記少なくとも１つは、前記内部空間を通る空気流を少なくとも部分的に規制するように、前記内部空間内に調節可能に位置するように構成される、請求項１の装置。
【請求項５】
前記内部空間を通る空気流を少なくとも部分的に規制するように構成可能な少なくとも１つの調節可能なダンパを備える、請求項１の装置。
【請求項６】
前記複数の垂直方向に配置され、水平方向にオフセットしたベーン列は、
水平方向に配置されたベーンの上側の列を備え、このベーンは、前記上側の列の少なくとも１のベーン溝が受け入れた流体を、測定のサイドパネルに連結された特定のパネル溝に向けて導くように、特定の角度に配置され、更に、
水平方向に配置されたベーンの下側の列を備え、このベーンは、前記下側の列の少なくとも１のベーンの少なくとも１のベーン溝が受け入れた流体を、他のサイドパネルに連結された他のパネル溝に向けて導くように他の角度で配置される、請求項１の装置。
【請求項７】
前記特定の角度及び他の角度の少なくとも１つは、前記複数のベーンの少なくとも１のベーン溝に排水勾配を形成し、前記複数のベーンの少なくとも１つのベーン溝が受け入れた流体を、前記排水勾配に沿って前記複数のベーンの少なくとも１のベーン溝の特定の端部に向けて導く、請求項６の装置。
【請求項８】
前記少なくとも１のパネル溝は、前記少なくとも１のベーン溝から受け入れた流体を機械的冷却システムの再生システム内に導くように構成される、請求項１の装置。
【請求項９】
前記複数のベーンの前記少なくとも１つは、
それぞれが前記複数のベーンの前記少なくとも１つの長手方向軸に沿って延び、それぞれの側縁部を一緒に連結され、それぞれが前記複数のベーンの少なくとも１の短手方向軸に沿って下方に角度を付けられる２つのベーン傾斜部、及び、
それぞれが前記複数のベーンの前記少なくとも１つの長手方向軸に沿って延び、個々に前記２つのベーン傾斜部の別個の１つに連結される２つのベーン溝を備え、前記複数のベーンの前記少なくとも１つは、前記２つのベーン傾斜部の１つの面が受け入れた流体を、前記２つのベーン傾斜部の１つに連結される前記２つのベーン溝のそれぞれの１つに導くように構成される、請求項１の装置。
【請求項１０】
前記複数のベーンの前記少なくとも１つは、少なくとも１つの非直線状湾曲部を有する少なくとも１の面を備える、請求項１の装置。
【発明の詳細な説明】
【背景技術】
【０００１】
電子部品は、使用中に廃熱エネルギを生成する。この熱エネルギは、部品を過熱し、それに続いて故障する可能性を軽減するために除去すべきである。コンピュータシステムは、制限するものではないが、通常は、印刷基板、大記憶装置、電源およびプロセッサを含むこのような部品または廃熱源を有している。例えば、１台のパーソナルコンピュータシステムは１００〜１５０ワットの廃熱を発生することがあり、多くのプロセッサを有する大型コンピュータは２５０ワットの廃熱を発生することがある。従来のコンピュータシステムには、ラックマウント方式の構成部材で構成され、続いてラックコンピューティングシステム内に配置されるような複数の大型のマルチプロセッサコンピュータが含まれる。従来のラックコンピューティングシステムには、４０台のこのようなラックマウント方式の部材を包含するものがあり、したがって、このようなラックコンピューティングシステムは、例えば１０キロワットの廃熱を発生する。更に、従来のデータセンタは、複数のこのようなラックコンピューティングシステムを包含するものがある。
【０００２】
廃熱源を有する種々の構造体には、構造体のいくつかの部分から廃熱の除去を容易とするように構成される方法および装置を有するものがある。廃熱源が配置される筐体を有する構造体では、方法及び装置は、廃熱源、筐体またはこれらの双方から廃熱除去を容易とするように構成することができる。例えば、データセンタは、複数のラックコンピューティングシステムからの廃熱除去を容易とするように構成することができる方法及び装置を有することがある。
【０００３】
廃熱除去システムには、空気流（排気）に廃熱を伝達することにより、データセンタから廃熱を除去し、そして、この空気流をデータセンタの外部の周囲に廃熱を搬送するために使用するものがある。このような環境は周囲環境を含めることが可能である。
【０００４】
廃熱除去システムは、データセンタからの廃熱の除去を容易とするために、運動部材を使用する機械的システムを用いることがある。例えば、いくつかのデータセンタにおける廃熱除去システムには、ブロワー、ファン等を利用して、排気を含む１または複数の空気流を生じさせ、データセンタの外部に廃熱を搬送することができるものがある。このようなシステムは、通常、電力を消費し、自身で廃熱を生成し、更に、データセンタから除去すべき排熱量を増大し、より大きな廃熱負荷を取り扱うために機械的システムの増大を必要とすることになる。更に、運動部材を有することにより、このようなシステムは、摩耗を生じ、熱の除去能力を維持するために定期的な保守および構成部材の交換を必要とすることがある。
【０００５】
周囲環境の環境条件は均一ではなく、与えられた位置においても、最小の注意を伴う変動を生じることがある。季節の変化で生じ得る温度及び湿度の著しい変化とは別に、周囲環境の環境品質は無数の外的ファクタで変化することがある。環境条件のこのような変化は、廃熱源を有する筐体から外部環境への廃熱の除去に課題を生じることがある。例えば、雨、雪、氷、霰等を含む降水（precipitation）、工業及び/または農業活動によるばい煙、スモッグ、粒状物質、及び、気中副産物は、全て廃熱を搬送する空気のリザーバとしての外気の有用性に悪影響を与える可能性があり、更に、通常は周囲環境に廃熱を放出するために使用される経路を介してデータセンタ内に入る可能性があり、データセンタ内の種々のシステムを汚染しまたは損なうことがある。
【図面の簡単な説明】
【０００６】
【図１】図１は、１の実施形態による受動的冷却システムを有するデータセンタを示す概略図である。
【図２】図２は、１の実施形態による構造体の屋根上の受動的冷却システムの配置を示す概略図である。
【図３】図３は、１の実施形態による受動的冷却システムの一部の概略的斜視図である。
【図４Ａ】図４Ａは、１の実施形態による受動的冷却システムのベーンの概略的斜視図である。
【図４Ｂ】図４Ｂは、１の実施形態による長手軸に沿う受動的冷却システムのベーンの概略的な断面図である。
【図４Ｃ】図４Ｃは、１の実施形態による短手軸に沿う受動的冷却システムのベーンの概略的な直交図である。
【図５Ａ】図５Ａは、１の実施形態によるベーンサポートを有する受動的冷却システムの概略的な直角視図（orthogonal schematic view）である。
【図５Ｂ】図５Ｂは、１の実施形態による受動的冷却システムのベーンサポートの概略的な斜視図である。
【図６Ａ】図６Ａは、１の実施形態による尖頂を有する受動的冷却システムの概略的な直角視図である。
【図６Ｂ】図６Ｂは、１の実施形態による傾斜ベーンを有する受動的冷却システムの概略的な直角視図である。
【図７】図７は、１の実施形態によるベーン溝を有する受動的冷却システムの概略的な断面図である。
【図８】図８は、１の実施形態による空気経路傾斜部（air routing ramp）を有する受動的冷却システムの概略的な断面図である。
【図９】図９は、１の実施形態による受動的冷却システムの概略的な断面図である。
【図１０】図１０は、１の実施形態による受動的冷却システムの概略的な断面図である。
【図１１】図１１は、１の実施形態による受動的冷却システムの概略的な断面図である。
【図１２】図１２は、１の実施形態による受動的冷却システムの概略的な断面図である。
【図１３】図１３は、１の実施形態による穴あきベーンを有する受動的冷却システムの斜視図である。
【図１４】図１４は、１の実施形態による同一面上にダンパ（flush damper）を設けた受動的冷却システムの概略的な斜視図である。
【図１５】図１５は、１の実施形態による傾斜ダンパを設けた受動的冷却システムの概略的な斜視図である。
【図１６】図１６は、１の実施形態による受動的冷却システムを有する発熱システムの概略図である。
【図１７】図１７は、１の実施形態による１または複数の受動的冷却システムに設けられたダンパの管理構造を示す。
【図１８】図１８は、いくつかの実施形態に使用することができる例示的なコンピュータシステムを示すブロック図である。
【発明を実施するための形態】
【０００７】
本明細書に記載の種々の実施形態は、種々の変形および変更形態を受け入れることができる。特定の実施形態は実施例として図面に示し、本明細書に詳細に説明するものである。しかしながら、図面及びこれについての詳細な説明は、記載した特定の形態の開示に制限することを意図するものではなく、むしろ、その目的は、添付の請求の範囲の精神及びその及ぶ範囲に入る全ての変更、同等および代替を包含するものである。本明細書に使用した表題は、まとめを目的としただけのものであり、説明または請求の範囲の及び範囲を制限するために使用することを意味するものではない。本願を通じて使用される用語「ｍａｙ」は、義務的意味（すなわち、しなければならないの意味）ではなく、許容的意味（すなわち、可能性を有する意味）で使用されている。同様に、用語「include」、「including」及び「includes」は、含むことを意味し、制限するものではない。
【０００８】
周囲流体の収集による受動的冷却システムの種々の実施形態について開示する。１の実施形態によると、データセンタは、排気を排出するコンピューティングシステムを包含するコンピュータ室と、煙突効果によりコンピュータ室からコンピュータ室の外部の周囲環境に排気を送り（route）、周囲環境から受動的冷却システム内に受け入れた液体がコンピュータ室に入るのを阻止する受動的冷却システムとを包含する。受動的冷却システムは、内部空間、ベーンおよびパネル溝を含む。内部空間は、少なくとも部分的にサイドパネルに隣接し、底部部分を介して少なくとも部分的にコンピュータ室に開口し、頂部部分を介して少なくとも部分的に周囲環境に開口する。ベーンは、内部空間内に配置され、それぞれ、液体を収集するベーン溝、及び、周囲環境から受動的冷却システム内に受け入れた液体をベーン溝内に送るベーン傾斜部を含む。ベーンは、それぞれが水平方向に平行に複数のベーンを配置したベーン列を垂直方向に配置した列内内に、個々のベーン列のそれぞれのベーンが、垂直方向軸内で、他のベーン列のベーンから水平方向にオフセットし、ベーンが共同して排気をコンピュータ室の一部から周囲環境に、煙突効果により、非直線状経路に沿って送るように、配置されている。パネル溝は、サイドパネルの1つの内面に沿って延び、液体を内部空間から送り出し、ここで、ベーンのそれぞれは、少なくとも１のベーン溝から少なくとも１のパネル溝内に液体を送り、したがって、受動的冷却システム内に周囲環境から受け入れられた液体が内部空間の外部に送られる。
【０００９】
１の実施形態によると、装置は、内部空間の少なくとも一部に隣接するサイドパネル、内部空間内に配置されるベーン、および、パネル溝を含む。１または複数のベーンがベーン傾斜部およびベーン溝を含み、内部空間内に受け入れた流体の少なくとも一部を、少なくともベーン傾斜部の一部に基づいてベーン溝内に送る。ベーンは、垂直に配置されて水平方向にオフセットした複数の列に配置され、その複数のベーンの少なくとも１つを有する１つのが、内部空間を通る間接経路を形成する。間接経路は、内部空間内に受け入れた流体をベーンのベーン溝内に導く。パネル溝は、サイドパネルの１つに連結され、少なくとも１のベーン溝から流体を受け入れ、これにより、内部空間内に受け入れられかつベーン溝に導かれる流体の一部が、更に、ベーン溝を介してこのパネル溝に導かれる。
【００１０】
１の実施形態によると、装置は部分的筐体と、部分的筐体内に配置された少なくとも１のベーンとを含む。部分的筐体は、下方端部で少なくとも部分的に内部環境に開口し、上方端部で少なくとも部分的に周囲環境に開口する。ベーンは、部分的筐体の下方端部から部分的筐体の上方端部に少なくとも１つの垂直方向に向く間接経路を形成する。ベーンは、少なくとも部分的に煙突効果に基づいて、内部環境から周囲環境に、部分的筐体を通る少なくとも１の垂直方向に向く間接経路に沿って受動的に空気を流す。ベーンは、降水を部分的筐体から排除するように、部分的筐体の上方端を介して周囲環境から部分的筐体内に入る降水の向きを変更する。
【００１１】
本明細書で使用する「データセンタ」は、コンピュータ操作が行われる任意の設備または設備の一部を含む。データセンタは、サーバ及び他のシステム、及び、特定の機能（例えば、電子商取引処理、データベース管理）または多数の機能に役立つ専用部材を包含することができる。コンピュータ操作の例には、情報処理、通信、シミュレーション及び動作制御が含まれる。
【００１２】
本明細書で使用する「機械的冷却」は、蒸気圧縮冷凍システム等で行われる少なくとも１の流体に機械的な仕事を行うことを包含する工程による空気の冷却を意味する。
【００１３】
本明細書で使用する「蒸発冷却」は、液体の蒸発による空気の冷却を意味する。
【００１４】
本明細書で使用する「直接蒸発冷却」は、冷却すべき空気流内で直接液体を蒸発させることにより冷却するシステムを意味する。
【００１５】
本明細書で使用する「断熱系」は、液体の蒸発により冷却するシステムを意味する。
【００１６】
本明細書で使用する「周囲」は、システム、構造体、データセンタ等の場所の外側の状態を指す。周囲温度は、例えば空気取扱システムの吸気フードの位置または近部で取得することができる。
【００１７】
本明細書で使用する「煙突効果」または「スタック効果」は、経路の両端間の空気密度の差で引き起こされる経路を通る空気の流れを指す。このような差は、経路の両端間の温度差、周囲の圧力差、湿度の差等を含む１または複数の種々のファクタによって引き起こすことができる。例えば、暖かな筐体を有する建物が、より冷たい周囲環境で囲まれている場合には、煙突効果は、経路を通って環境に流れる筐体の低密度の温かい空気と、一方、環境から移動する高密度の冷たい空気との空気密度の差で生じる、筐体と環境との間の経路（例えば煙突）を介して引き起こされる空気流を指すことができる。
【００１８】
本明細書で使用する「自由冷却モード」は、空気を取り扱うサブシステムが外部ソース（設備の外の空気等）から少なくとも部分的に空気を引き込み、空気を取り扱うサブシステムで積極的に冷却することなく（例えば、空気を取り扱うサブシステム内の冷却コイルを通る流体流を、流れ制御弁を閉じることで遮断する）、電子設備に空気を送る操作モードを含む。
【００１９】
本明細書で使用する「室」は、構造体内の部屋または空間を意味する。「コンピュータ室」は、ラックマウント式サーバ等のコンピュータシステムが作動する室を意味する。
【００２０】
本明細書で使用する「コンピュータシステム」は、任意の種々のコンピュータシステムまたはその構成部材を含む。コンピュータシステムの一例がラックマウント式サーバである。本明細書で使用する用語コンピュータは、当該分野でコンピュータと称されている集積回路だけに限るものではなく、広く、プロセッサ、サーバ、マイクロコントローラ、マイクロコンピュータ、プログラマブル論理制御装置（ＰＬＣ）、特定用途向け集積回路、及び、他のプログラマブル回路を指すものであり、これらの用語は本明細書では区別なく使用される。種々の実施形態では、メモリは、制限するものではないが、ランダムアクセスメモリ（ＲＡＭ）等のコンピュータ可読媒体を含むことができる。代りに、コンパクトディスク−読取り専用記憶装置（ＣＤ−ＲＯＭ）、光磁気ディスク（ＭＯＤ）、及び／または、デジタル多目的ディスク（ＤＶＤ）も使用することができる。更に、追加の入力チャンネルが、マウス及びキーボード等のオペレータインターフェースに関連するコンピュータ周辺機器を含むことができる。代りに、他のコンピュータ周辺機器も使用することができ、これには例えばスキャナを含むことができる。更に、いくつかの実施形態では、追加の出力チャンネルがオペレータインターフェースのモニタ及び/またはプリンタを含むことができる。
【００２１】
本明細書で使用する「ダンパ」は、ダクト、管路または他の経路を介する流体の流れを制御（例えば、増加または減少）するように移動可能な装置または構成部材を包含する。ダンパの例には、プレート、ブレード、パネルまたはディスク、または、これらの任意の組合せを含む。ダンパは、多数の部材を有することができる。例えば、ダンパは、互いに平行で同時に回転してダクトを閉じる一連のプレートを有することができる。本明細書で使用するダンパを「調節」は、ダンパの１または複数の部材を配置または残して（place or leave）、開き、閉じ、または、部分的に開く等、ダンパを通る所要の流れ特性を達成することを意味する。例えば、１８の受動的冷却システムを有するシステムでは、排気ダンパの調節は、受動的冷却システムの８つ選択した少なくとも一部の排気ダンパを開き、他の１０の受動的冷却システムの少なくとも一部の排気ダンパを閉じたままとすることを含むことができる。
【００２２】
種々の実施形態では、構造体用の受動的冷却システムは、環境部材が周囲環境から筐体内に入るのを阻止する間接経路を介して、筐体から周囲環境に排気を導くことにより、少なくとも１つの廃熱源を有する１または複数の筐体の受動的冷却を促進する。受動的冷却は、１または複数の廃熱源に関して、自由冷却作動モードで作用する１または複数の冷却システムを包含することができる。受動的冷却システムが、排気を導くことにより、廃熱エネルギを筐体の外に導いて筐体を冷却するように、排気は、筐体内の１または複数の廃熱源から出された廃熱エネルギを搬送することができる。いくつかの実施形態では、構造体は、データセンタを包含し、筐体は、廃熱源として１または複数のコンピュータシステムを有するコンピュータ室を包含する。
【００２３】
図１は、１の実施形態による受動的冷却システムを有するデータセンタを示す概略図である。いくつかの実施形態では、データセンタは、コンピューティングシステムと、コンピューティングシステムからの廃熱エネルギを除去する１または複数の冷却システムとを有する１または複数のコンピュータ室を備える。例えば、図示の実施形態では、データセンタ１００はコンピュータ室１１０と、コンピュータ室１１０に冷却空気を供給する上げ床の冷却システム１２０と、排気をコンピュータ室１１０から受動的に導く１または複数の受動的冷却システム１３０とを有する。コンピュータ室１１０は、それぞれ１または複数のコンピューティングシステムを有することができる１または複数のラックコンピューティングシステム１１２を備える。コンピューティングシステムは、作動中に廃熱エネルギを生成する１または複数の廃熱源を有することがあり、この廃熱はラックコンピューティングシステム１１２から取り除かなければ蓄積して内部のコンピューティングシステムを損傷させることがある。
【００２４】
いくつかの実施形態では、冷却システムは、冷却空気をデータセンタ内の１または複数のラックコンピューティングシステムに供給し、内部のコンピューティングシステムから廃熱エネルギを除去することができる。例えば、図示の実施形態では、データセンタ１００は、上げ床の冷却システム１２０を有し、この上げ床冷却システムは冷却空気１０６をコンピュータ室１１０の一部の下側の上げ床プレナム１２４からラックコンピューティングシステム１１２に供給する。いくつかの実施形態では、冷却空気は、１または複数の空気取り入れ口を介する吸気として上げ床プレナムに準備することができる。例えば、図示の実施形態では、空気取扱ユニット１２２は吸気１０２を上げ床プレナム１２４に供給し、ここに準備された吸気１０２は、次いで、１または複数のタイル１１４を介して冷却空気１０６として準備される。吸気１０２は周囲空気、再循環空気、または、これらのいくつかの組合せから引くことができる。いくつかの実施形態では、吸気の少なくとも一部が冷却システムで冷却され、この冷却システムは１または複数の熱交換器に空気を通過させることにより、吸気から熱エネルギを冷却流体に移送することができる。いくつかの実施形態では、空気取扱ユニット１２２は、上げ床プレナム内に空気流を生じさせる１または複数の積極的空気取扱装置を有し、１または複数のファンまたはブロア等を有する１または複数の空気移動装置を包含する。
【００２５】
冷却空気１０６がタイルを通過可能なように穿孔、開口等を有する１または複数の床タイル１１４を通して上げ床プレナム１２４から、冷却空気１０６を提供することができる。例えば、図示の実施形態では、ラックコンピューティングシステム１０５間の所定の通路が「冷気通路」１０５であり、この中を冷却空気１０６が１または複数のタイル１１４を介して提供されるように、ラックコンピューティングシステム１１２がコンピュータ室１１０内で、ラックコンピューティングシステムの１または複数の列に配置される。冷却空気１０６は、冷気通路１０５からラックコンピューティングシステム１１２内の１または複数のコンピューティングシステムを通って流れ、内部の１または複数の廃熱源から１または複数の種々の熱搬送形態を介して廃熱を除去することができる。当然であるが、廃熱エネルギを１または複数の廃熱源から搬送するための種々の熱搬送形態は、当該分野の通常の技術を有する者に既知の熱搬送形態を包含することを理解すべきである。
【００２６】
いくつかの実施形態では、ラックコンピューティングシステム１１２内の１または複数の構成部材から廃熱エネルギを除去する冷却空気１０６は、排気としてラックコンピューティングシステム１１２から排出される。冷却空気１０６がラックコンピューティングシステム１１２の一部または全てを通過する図示の実施形態を含むいくつかの実施形態では、空気が排気１０７としてラックコンピューティングシステムから「暖気通路」１０９内に排出される。
【００２７】
１または複数の廃熱源から排出された排気は、筐体から除去され、筐体内に廃熱が過度に蓄積されるのを防止することができる。いくつかの実施形態では、１または複数の受動的冷却システム１３０が使用されて、煙突効果により筐体から排気を導き、ここでは、筐体と他の環境との間の空気密度の差で誘起される少なくとも一部の空気流により、空気が筐体から他の環境に移動される。例えば、図示の実施形態では、ラックコンピューティングシステム１１２から廃熱を吸収した排気１０７は、冷却空気１０６及びデータセンタ１００を囲む周囲環境１４０の空気よりも低い密度を有することができる。このような密度の差は、コンピュータ室１１０と周囲環境１４０との間に経路が形成される場所で、高密度の周囲環境１４０内への低密度の排気１０７の流れを引き起こすことができる。このように煙突効果で引き起こされる流れは、受動的に引き起こすことができ、ブロワー、ファン等を含む空気流を引き起こすための積極的な空気移動装置は必要でない。煙突効果によりこのように受動的に引き起こされる空気流は、筐体の１または複数の冷却システムの自由冷却作動モードを包含することができ、ここでは冷却空気は積極的に冷却されない。例えば、図示の実施形態では、構造体１００に関する自由冷却作動モードは、周囲環境１４０から吸気１０２を吸引し、このような吸気１０２を冷却空気１０６としてラックコンピューティングシステム１１２に提供することを包含し、このようなラックコンピューティングシステムに提供される冷却空気１０６は、１または複数の熱交換装置により積極的に冷却されるものではない。
【００２８】
いくつかの実施形態では、受動的冷却システムは、周囲環境に対する、煙突効果で引き起こされる排気の流れを可能とする。例えば、図示の実施形態では、受動的冷却システム１３０は、コンピュータ室の上に配置され、コンピュータ室１１０と周囲環境１４０との間に、１または複数のラックコンピューティングシステム１１２から排出される排気１０７が煙突効果により、受動的冷却システム１３０内に含まれる１または複数の経路を介して、周囲環境１４０への排気流１０８として上昇するように引き起こされる、１または複数の経路を設けている。このような誘起された排気の流れ１０８は、廃熱エネルギをコンピュータ室１１０から除去することを可能とし、積極的な空気移動装置の使用を低減または無しとすることができる。いくつかの実施形態では、受動的冷却システム１３０がコンピュータ室１１０の上方位置に配置されて、煙突効果で誘起される空気流がコンピュータ室１１０から周囲環境１４０に１または複数の垂直に向く経路を介して流れるように、受動的冷却システム１３０はデータセンタ１０８の屋根１１８の上に配置される。例えば、図示の実施形態では、排気１０７がラックコンピューティングシステム１１２から「暖気通路」１０９内に排出され、排気は煙突効果により、暖気通路１０９よりも上に位置する受動的冷却システム１３０Ａを通って上方に流れることができる。更に、図示の実施形態に示す他の実施形態では、排気はラックコンピューティングシステム１１２から、ラックコンピューティングシステム１１２の上側の排気ベント１１６内に排出されており、排気ベント１１６内を通過する排気が受動的冷却システム１３０Ｂを通過し、煙突効果により周囲環境１４０内に流れを通過させるように、受動的冷却システム１３０Ｂを排気ベント１１６の上側に配置することができる。
【００２９】
図２は、１の実施形態による構造体の屋根の上の受動的冷却システムの配置を示す概略図である。いくつかの実施形態では、空気流が構造体の筐体から、筐体と周囲環境との間の空気密度の差に起因する誘起された空気流により、受動的冷却システム内の経路を通って周りの周囲環境に流れるように、１または複数の受動的冷却システム２３０が構造体２００の上方部に配置される。例えば、図示の実施形態に示すように、周りの周囲環境２４０内の空気よりも低密度である筐体内の空気が、受動的冷却システム２３０の１または複数の経路を通って周囲環境２４０まで上方に流れるように誘起することができるように、構造体２００は、筐体２１０の上側で構造体２００の屋根２１２上に配置される受動的冷却システム２３０を有することができる。
【００３０】
いくつかの実施形態では、受動的冷却システムの位置決めに起因する構造的完全性の喪失を最小とするパターンで、受動的冷却システムが配置される。例えば、図示の実施形態では、筐体２１０から周囲環境２４０への１または複数の経路を有する受動的冷却システム２３０は、屋根２１２に間隙を形成することができる。受動的冷却システムは、構造体の屋根に所定のパターンで配置した場合に、構造体の種々の部分の構造的完全性を損なうことがあり、屋根を包含する。受動的冷却システムの特定の位置決めパターンは、構造的完全性に対するこのような虞（compromise）を最小とすることができる。例えば、図示の実施形態では、受動的冷却システム２３０は構造体２００の屋根２１２上に列２２０をなして配置される。受動的冷却システム２３０を列２２０に位置決めすることは、受動的冷却システム２３０内の経路から形成される間隙で生じる構造的一体性の喪失を最小にすることができる。更に、いくつかの実施形態では、構造体２０２がデータセンタで、筐体２１０がラックコンピューティングシステムの列を有するコンピュータ室を有する場合は、ラックコンピューティングシステムから暖気通路に排出された排気が、暖気通路から、上方の１または複数の受動的冷却システム２３０を介して周囲環境２４０に垂直に上昇するのを誘起されるように、受動的冷却システム２３０の列２２０を、ラックコンピューティングシステムの側部に沿って延びる暖気通路の上に配置することができる。いくつかの実施形態では、ラックコンピューティングシステムが排気を排気ベントに排出する場合は、受動的冷却システム２３０の列２２０を排気ベントの上方に配置することができる。
【００３１】
いくつかの実施形態では、構造体は、所定の表面部材パターンを有する。例えば、図示の実施形態では、構造体２００の屋根２１２は、格子線パターン２１４に配置された多数の表面部材を有することができる。格子２１４内の各セル２１６は、屋根材、構造部材等を有する１または複数の部材を包含することができる。いくつかの実施形態では、受動的冷却システム２３０が少なくとも部分的に、格子２１４の所定のセル２１６内に配置される。図示の実施形態に示すように、例えば各受動的冷却システム２３０は格子２１４の個々のセル２１６を満たす。いくつかの実施形態では、格子は、各セル２１６が特定の寸法を有するように構成することができる。例えば、各セル２１６は、２フィート幅及び４フィートの長さを含む標準化されたサイズを有することができ、受動的冷却システム２３０がセル２１６をほぼ、または、完全に満たすように、受動的冷却システム２３０は、同様な寸法を有することができる。いくつかの実施形態では、受動的冷却システムは、受動的冷却システム２３０が所定のセル２１６から除去しまたは挿入できるように、セル２１６内に取外し可能に配置されるように構成することができる。
【００３２】
図３は、１の実施形態による受動的冷却システムの一部の概略的に斜視図である。受動的冷却システム３００は、少なくともいくつかの側部をサイドパネル３０２に隣接させた内部空間３０１と、内部空間３０１内に少なくとも部分的に設置（配置）された多数のベーン３０４とを有する。内部空間３０１は頂端部３０３と底端部３０５とを有する。いくつかの実施形態では、頂端部３０３は、受動的冷却システム３００の少なくとも一部の上部で周囲環境に開口するように構成された受動的冷却システム３００の開口面である。いくつかの実施形態では、底端部３０５は、受動的冷却システム３００の少なくとも一部で下側に存在する構造体の筐体に開口するように構成された受動的冷却システム３００の開口面である。いくつかの実施形態では、構造体の筐体は、１または複数の廃熱源を有する他の筐体の上側の上方筐体である。例えば、底端部３０５は、データセンタのコンピュータ室の上に設置された天井プレナムに対して開口するように構成された受動的冷却システム３００の開口面とすることができる。
【００３３】
いくつかの実施形態では、内部空間３０１は部分的筐体を有する。例えば、内部空間が頂部側３０３及び底部側３０５等の１または複数の側部が隣接しないように、パネル３０２に部分的に隣接する場合、内部空間３０１は部分的筐体を有する。
【００３４】
いくつかの実施形態では、内部空間３０１は、少なくとも部分的に内部空間３０１内に配置される１または複数のベーン３０４を有する。いくつかの実施形態では、受動的冷却システム３００内のベーン３０４は、構造体の筐体と周囲環境との間に１または複数の間接経路３９０を形成するように配置される。間接経路は、直線路に沿わない２つのポイント間に、非直線経路を含む経路を有することが可能である。例えば、図示の実施形態では、内部空間３０１の底端部３０５と頂端部３０３との間の間接経路３９０は、内部空間３０１内の水平方向にオフセットして垂直方向に配置したベーン３０４の列３１０，３２０，３３０で形成される。図示の実施形態を含むいくつかの実施形態では、底端部３０５と頂端部３０３との間の全ての経路が間接的でこれらの間に直接経路が存在しないように、ベーン３０４が内部空間３０１内に配置される。
【００３５】
例えば図示の実施形態に示すように、ベーン３０４は多数の水平方向に延びるベーン３０４の列３１０，３２０，３３０に配列することができ、各列は他の列に対して垂直に配列される。これらの列は更に、各列のベーン３０４が、他の垂直方向に隣接する列内のベーンから垂直軸上で水平方向にオフセットするように、配列することができる。列は、いくつかの垂直方向に隣接する列から水平方向にオフセットし、他の列とは水平方向に整合することができる。例えば、図示の実施形態では、列３１０内のベーン３０４は、垂直方向に隣接する列３２０内のベーン３０４から垂直軸３８０上で水平方向にオフセット３８２し、一方、列３３０内のベーン３０４と垂直軸３８０上で整合する。
【００３６】
いくつかの実施形態では、受動的冷却システムの下側の筐体と受動的冷却システムの上側の周囲環境との間に間接経路を形成する受動的冷却システム内のベーンの配置は、筐体から周囲環境に、煙突効果で引き起こされる流れにより、１または複数の間接経路に沿って空気を送ることを可能とし、一方、種々の環境部材が周囲環境から内部空間を介して筐体内に入るのを阻止する。いくつかの実施形態では、煙突効果による空気のこのようなルーティングは、冷却システムの自由冷却作動モードを含み、ここでは、周囲環境から少なくとも部分的にひかれた冷却空気は、積極的に冷却されることなく筐体に提供され、排気は筐体から１または複数の周囲環境に送られる。間接経路は、種々の降水、液体、粒状物質またはこれらのいくつかの組合せを含むことができる環境部材を、底端部３０５または内部空間３０１のいくつかの他の部分を通って筐体に入るのを逸らすように転送させる。例えば、断面３３３を参照して後の図で更に検討するように、ベーン３０４は、降水等の頂端部３０３を介して受入れた流体を含む環境部材を転送して、底端部３０５に通過するのを逸らす１または複数のベーン傾斜部３１２及びベーン溝３１４を有することができる。ベーン傾斜部３１２は、頂端部３０３を介して内部空間３０１に入る降水を、降水を集めて少なくとも一部を受動的冷却システムの外に送るベーン溝３１４に、転送することができる。いくつかの実施形態では、間接経路３９０は、１または複数のベーンを迂回する降水を他のベーンに転送することを可能とする。例えば、図示の実施形態に示すように、頂端部３０３を介して内部空間３０１に入る流体が列３１０のベーン３０４間を通過する場合は、流体は１または複数の他の列３２０，３３０のベーン３０４で転送することができる。このように、間接経路３９０の存在で、内部空間３０１に入る降水が頂端部３０３を通して底端部３０５に達するのを阻止することができる。
【００３７】
いくつかの実施形態では、受動的冷却システムは、周部部材を集め、受動的冷却システムの外側に送る１または複数のパネル溝を有する。パネル溝は、１または複数のサイドパネルの内面に連結され、かつ、少なくとも部分的に沿って延びることができる。例えば図示の実施形態では、受動的冷却システム３００はパネル溝３４０，３５０を有し、ここでは、パネル溝３５０はサイドパネル３０２の内側面に連結され、パネル溝３４０は、図には示してないサイドパネルの内側面に連結される。いくつかの実施形態では、パネル溝３４０，３５０は、降水を含み、更に１または複数の種々の液体を包含することができる環境部材を、受動的冷却システム３００からパネル溝３４０，３５０内に受け入れる。例えば、図示の実施形態に示すように、パネル溝３４０，３５０は、降水が受動的冷却システム３００を出る３６２ように、開口３６０を通して降水を導くことができる。図示の実施形態に示すように、パネル溝３４０，３５０は、降水がパネル溝３４０，３５０間に導かれるように、接続することができる。パネル溝は、降水を開口に向けて導くように構成することができる。例えば、パネル溝３４０，３５０は、開口３６０に向けた排水傾斜が形成され、パネル溝３４０，３５０内に受け入れられた降水が開口３６０に向けて流れるように、角度をつける（「傾斜」）ことができる。いくつかの実施形態では、開口３６０は１または複数のパネル溝の底面上に、図示の実施形態に示すように、位置決めされる。いくつかの実施形態では、１または複数の開口３６０を、１または複数のパネル３０２を含む受動的冷却システム３００の他の表面に位置決めすることができる。
【００３８】
いくつかの実施形態では、パネル溝３４０，３５０及びベーン３０４は、環境部材がベーン３０４の一部によって１または複数のパネル溝３４０，３５０内に向きを変えるように構成されている。例えば、図示の実施形態に示すように、ベーン３０４は少なくとも部分的にパネル溝３４０のリップ３４２の上に延びることができ、ベーン３０４の長さに沿って向きを変えられた降水は１または複数のベーン傾斜部３１２及びベーン溝３１４からパネル溝３４０内に送られる。図示の実施形態に更に示すように、他の実施例では、サイドパネル３０２に最も近いベーン３０４は、ベーン溝３１４からの降水のオーバーフローがパネル溝３５０内に落下するように、パネル溝３５０の上に配置することができる。いくつかの実施形態では、少なくとも部分的にパネル溝３５０の上に配置されるベーン３０４は、ベーン傾斜部３１２がパネル溝３５０内に降水を導くように構成することができる。
【００３９】
図４Ａ，４Ｂ及び４Ｃは、１の実施形態による受動的冷却システムのベーン４００の種々の概略図である。ベーン４００は、受動的冷却システムを通過する空気を筐体から周囲環境に間接経路を介して送り、一方、周囲環境から受取った降水を含む環境部材は筐体から逸らして送るように、構成される。受動的冷却システムのベーンは、１または複数のベーン傾斜部、ベーン溝またはこれらの組合せを包含することができる。例えば、図４Ｂに示すように、ベーン４００は２つのベーン傾斜部４０２と２つのベーン溝４０４を有する。ベーン傾斜部４０２は、流体を自由落下路から逸らせて導き、ベーン溝は１または複数のトラフ構造、ダクト構造、または、降水を集めてその長さ４０６に沿って送る同様な構造を有することができる。例えば、図示の実施形態では、各ベーン傾斜部４０２は周囲環境から受け入れた自由落下降水を１または複数のベーン溝４０４内に導き、このベーン溝は降水を集め、それぞれの長さ４０６の少なくとも一部に沿って送ることができる。少なくとも図４Ｃに示すように、ベーン溝４０４は１または複数の出口４０８をそれぞれの長さ４０６の端部に有することができ、ここで降水はベーン溝４０４に沿って送られ、出口４０８からベーン溝４０４の外に導くことができる。いくつかの実施形態では、ベーン４００は、集めた降水を出口４０８の外に送り、流体を更に受動的冷却システムの外に送るパネル溝内に送るように構成される。いくつかの実施形態では、ベーン４００は、１または複数の出口４０８が受動的冷却システムの外部に配置され、降水が出口４０８を通過することにより受動的冷却システムから除去されるように、少なくとも部分的に受動的冷却システムの外部に延びるように構成される。
【００４０】
図５Ａは、１の実施形態によるベーンサポートを有する受動的冷却システムの概略的な直角視図である。図５Ｂは、１の実施形態による受動的冷却システムのベーンサポートの概略的な斜視図である。いくつかの実施形態では、受動的冷却システムは、１または複数のベーンの構造的な位置決め及びサポートを提供する１または複数のベーンサポートを有する。例えば、図示の実施形態では、受動的冷却システム５００は、図４Ａ〜Ｃを参照して更に図示及び検討するベーン４００を有し、このベーンは受動的冷却システム５００の２つのサイドパネル５０２間に２つのベーンサポート５０４で支えられている。いくつかの実施形態では、ベーンは１または複数のベーンサポートの上に載置され、ベーンサポートを介してその重さを伝達する。いくつかの実施形態では、ベーンは、溶接、リベット留め、接着等によりベーンサポートに連結される。１または複数のベーンサポートは、ベーンとは別部材とし、または、ベーンの一部とすることができる。
【００４１】
いくつかの実施形態では、ベーンサポートは１または複数のベーンを、ベーンに導かれた降水がパネル溝内に溝とサイドパネルとの間の間隙を介して導かれるように、受動的冷却システム内に位置決めする。間隙は、ベーンサポートで架橋することができる。例えば、図示の実施形態では、ベーン４００は２つのベーンサポート５０４上に載置され、ここでは、ベーン４００の端部とサイドパネル５０２との間に間隙５２０が設けられるように、ベーン４００が２つのパネル５０２間の距離よりも短く、ベーンサポート５０４がこの長さの差を架橋する。１または複数のベーン傾斜部及びベーン４００のベーン溝により、ベーン溝の出口から送られた降水は、図４Ａ〜Ｃを参照して上述したように、間隙５２０を介してパネル溝５３０内に導くことができ、パネル溝自体は降水を受動的冷却システム５００の外側に１または複数の開口５４０を介して送ることができる。いくつかの実施形態では、ベーン４００とパネル５０２との間の間隙５２０の長さは、ベーン４００の一部がパネル溝の上に張り出すようにパネル溝５３０の幅５２４よりも短く、これは降水がベーン溝の出口を通過し、パネル溝５３０から外れてしまう可能性を低減することができる。いくつかの実施形態では、間隙は、部分的または完全にベーンの一部内に配置される。例えば、ベーンがサイドパネルに直接連結される場合は、間隙がサイドパネル及び凹設形状の出口またはこれらの組合せに隣接する（bounded)ように、間隙をベーン内の孔、ベーン溝の出口の凹設形状で形成することができる。
【００４２】
いくつかの実施形態では、ベーンサポートは、ベーンが最小の動きでベーンサポート上に載置されるように、１または複数のベーンの一部の外形にしたがうように構成される。例えば、図５Ｂに示すように、ベーンサポート５０４は、図４Ａ〜Ｃに示すベーン４００の下面の全体的形状に適合するように構成される。ベーンサポート５０４は、ベーン４００の下面の少なくとも一部の外形に適合する上面５０５を有し、ベーン４００の下側の端部の少なくとも一部が面５０５上に載置される。いくつかの実施形態では、ベーン４００のベーン傾斜部の下側が面５０５に載置される。いくつかの実施形態では、ベーン４００の一部が面５０５の一部に連結される。
【００４３】
いくつかの実施形態では、ベーンサポートは１または複数のベーンを受動的冷却システム内で調整する。例えば、図５Ａ〜Ｂの図示の実施形態では、ベーンサポート５０４は、サイドパネル５０２上で１または複数のトラック５０８，５１０に沿ってベーンサポート５０４を操作して移動する１または複数のモータ５０６を有する。いくつかの実施形態では、種々のベーンサポートは独立して移動し、１または複数のベーンの形態を調整することが可能である。例えば、図５Ａの図示の実施形態を参照すると、ベーン４００の一端の１つのベーンサポート５０４がモータ５０６を使用してトラック５１０に沿って上方に移動でき、一方、ベーン４００の対向端の他のベーンサポート５０４は、モータ５０６を使用してトラック５１０に沿って下方に移動することができ、これにより、ベーン４００は角度を付けられる。他の実施例では、双方のベーンサポート５０４は、サイドパネル５０２に対して、ベーン４００が所定方向に並進するように、トラック５１０に沿ってモータ５０６で共通の方向に移動することができる。
【００４４】
いくつかの実施形態では、１または複数のベーンサポート５０４は、回転可能となるように調整することが可能である。例えば、面５０５上に載置されるベーン４００がその長手軸の回りを回転するように、モータ５０６が作動してベーンサポート５０４を回転することができる。他の実施形態では、ベーン５０５上に載置されるベーン４００がその短手軸の回りを回転するように、モータ５０６が作動してベーンサポート５０４を回転することができる。いくつかの実施形態では、ベーンサポート５０４は、１または複数のモータで調整可能であり、これは種々の位置に配置することができる。例えば、図５Ａ〜Ｂの図示の実施形態に示すように、モータ５０６を少なくとも部分的にベーンサポート５０４内に配置することができる。他の実施形態では、１または複数のモータ５０６を、ベーンサポート５０４に対して外部に配置することができる。いくつかの実施形態では、モータ５０６は、サイドパネル５０２を基準として、回転調整及び並進調整を含む多数のベーンサポート５０４に対する調整を制御するために操作することができる。
【００４５】
図６Ａは、１の実施形態による尖頂付きベーンを有する受動的冷却システムの概略的な直角視図である。
【００４６】
いくつかの実施形態では、受動的冷却システムの１または複数のベーンが、降水を含む環境部材をベーン溝に沿って特定方向に送るように構成される。例えば、受動的冷却システム６００Ａの図示の実施形態に示すように、ベーン６０１Ａの少なくとも一部に、ベーンの長さの少なくとも一部に沿って排出傾斜が設けられるように、角度６１０，６１１を付けることができる。いくつかの実施形態では、図５Ａ〜Ｂを参照して検討したように、ベーンが載置されるベーンサポートの位置決めを通して角度をつけることができる。いくつかの実施形態では、ベーン自体はその長さの一部または全てに沿って角度をつけることができる。例えば、図示の実施形態では、ベーン６０１Ａは「尖頂付き」ベーンであり、その長さに沿って異なる角度を付けられるように構成されている。図示のように、ベーン６０１Ａはその長さの一部６０６に沿って所定の角度６１０に角度を付けられ、その長さの他の部分６０８で他の角度６１１で角度を付けられている。他の実施例では、ベーンはその短軸に沿って異なる角度に構成された尖頂付きとすることができる。いくつかの実施形態では、角度６１０，６１１が等しく、いくつかの実施形態では、角度６１０，６１１が相違する。更に、特定のベーン６０１Ａの部分６０６，６０８の長さを等しくするかまたは相違させることができる。いくつかの実施形態では、ベーン６０１Ａのその長さに沿う角度付け（angling）６１０，６１１は、ベーン６０１Ａの長さに沿う「尖頂」位置６０２で変化する。このようなベーン６０１Ａの角度付けの分離は、ベーン６０１Ａのベーン溝内に受け入れた降水を、受動的冷却システム６０１のパネル溝５３０のそれぞれの１つに、ベーン６０１Ａの端部におけるそれぞれの間隙５２０を介して送ることを可能とする。例えば、図示の実施形態に示すように、部分６０６に沿ってベーン６０１Ａのベーン溝内に受け入れた降水は部分６０６の角度付け６１０によって、ベーン６０１Ａの出口６０５を介してパネル溝５３０内に導くことができ、部分６０８に沿ってベーン６０１Ａのベーン溝内に受け入れた降水は、部分６０６の角度付け６１１により、ベーンの出口６０７を介してパネル溝５３０内に導くことができる。いくつかの実施形態では、受動的冷却システムは１または複数の出口開口を有し、これを介して降水が受動的冷却システムから出る。例えば、図示の実施形態では、受動的冷却システム６００Ａは、各パネル溝５３０内の降水を受動的冷却システム６００Ａから外に導く開口５４０を有する。
【００４７】
いくつかの実施形態では、ベーンの一部の角度付けは、１または複数の特定の方向に降水の流れ方向に影響する部分に沿って傾斜を形成する。このよう傾斜は、降水をベーンの特定の出口に向けて流れるように導く排水傾斜とすることができる。例えば、図示の実施形態では、部分６０６に沿う排水傾斜は、ベーン６０１Ａの部分６０６内に受け入れた降水が出口６０５に向く流れを導くように、部分６０６の角度付け６１０で形成することができる。
【００４８】
図６Ｂは、１の実施形態による角度付き（傾斜した）ベーンを有する受動的冷却システムの概略的な直角視図である。いくつかの実施形態では、受動的冷却システムのベーンは、別個のベーン内に受けた降水が別個に導かれるように、別個に角度を付けることができる。別個のベーンは別個に角度を付けられ、降水を別個のパネル溝に導くことができる。例えば、図示の実施形態では、ベーン６０１Ｂ，６０１Ｃは受動的冷却システム６００Ｂ内で互いに垂直に配置され、ベーン６０１Ｂは角度６１２を付けられ、ベーン６０１Ｂのベーン溝６５０が受けた降水を、間隙５２０を介してパネル溝６４２内に傾斜により導くように、傾斜を形成する。対照的に、ベーン６０１Ｃは角度６１４を付けられ、ベーン６０１Ｃのベーン溝６６０が受けた降水を、間隙５２０を通してパネル溝６４４内に導くように、傾斜を形成する。受動的冷却システム６００Ｂは、各パネル溝６４２，６４４内の降水を受動的冷却システム６００Ｂの外に導く開口６５２，６５４を有する。いくつかの実施形態では、ベーンはその長さの一部に沿って先細状であり、その長さの少なくとも一部に沿って排水勾配を形成することができる。
【００４９】
図７は、１の実施形態によるベーン溝を有する受動的冷却システムの概略的な断面図７００である。いくつかの実施形態では、断面７００は、図３の断面３３３を参照して上述したように、受動的冷却システムの一部の断面である。断面７００は、サイドパネル７０７で側部を囲まれ、少なくとも部分的に空間７０２，７０４に開口する内部空間７１０の断面を示す。例えば、内部空間７１０は、内部空間の頂部側が空間７０２に開口するように、頂部側は何らの部材によっても囲まれていない。他の実施例では、内部空間７１０は、内部空間７１０が部分的に空間７０４に開口するように、サイドパネル７０７に連結されたパネル溝７６０で底部側を部分的に囲むことができる。いくつかの実施形態では、空間７０２は、周囲環境であり、空間７０４は構造体に包含される筐体である。
【００５０】
いくつかの実施形態では、１または複数のベーンが受動的冷却システムの内部空間内に配置される。１または複数のベーンは、これらの１または複数のベーンが１または複数の個々のベーン、種々のベーンの配置、または、これらの組合せで形成された特定の経路に沿って特定の部材を導くように、特定の形態に配置することができる。例えば、図示の実施形態では、ベーン７１４は多数の垂直方向に配置された列７６２，７６４，７６６に配置される。ベーンの各列は、垂直軸上で１または複数の他のベーンの列に対して水平方向にオフセットすることができる。例えば、図示の実施形態に示すように、列７６４は、列７６２，７６６の列から水平方向にオフセットしたベーンを有する。いくつかの実施形態では、ベーンの配置は、内部空間を通る１または複数の間接経路を形成することができる。例えば、列７６２，７６６から列７６４を水平方向にオフセットさせることで、空間７０２，７０４から内部空間７１０を通る１または複数の間接経路７２２，７２４を形成することができる。
【００５１】
いくつかの実施形態では、１または複数のベーンは少なくとも部分的に内部空間内の特定位置に１または複数のベーンサポートで支えられる。例えば、図示の実施例に示すように、列７６２内の少なくとも一部のベーン７１４が少なくとも部分的にベーンサポート７１６で支えられる。ベーンは、ベーンサポートに載置することができ、ベーンサポートに連結することができ、または、これらの組合せとすることができる。
【００５２】
いくつかの実施形態では、煙突効果が内部空間７１０を通って空間７０４，７０２の間に形成される。このような煙突効果は、少なくとも空間７０２，７０４の間の空気密度の差に起因し、空間７０４から空間７０２まで内部空間を介する空気流を生じさせることができる。煙突効果は、低密度の空気が垂直に配置された経路を通って高密度の空気の空間内に上昇するように、垂直に向く空気流を生じさせることができる。いくつかの実施形態では、内部空間を介して煙突効果で引き起こされる空気流は、内部空間７１０を介する間接経路をたどり、これは非直線状経路を含む。例えば、図示の実施形態に示すように、空間７０４から空間７０２への内部空間７１０を介する空気流７２０は、内部空間７１０を介して１または複数の垂直方向に向いた間接経路７２２，７２４をたどり、ここでは、内部空間内で垂直方向に配置された水平方向にオフセットする列７６２〜７６６のベーン７１４の配列によって、間接経路が形成される。いくつかの実施形態では、経路に沿う垂直方向のオフセットが、経路に沿う水平方向のオフセットよりも少なくとも大きい場合は、経路が垂直方向に向く。いくつかの実施形態では、垂直方向のオフセットが所定のマージンにより水平方向のオフセットよりも大きい場合には、経路は垂直方向に向く。
【００５３】
いくつかの実施形態では、１または複数のベーン７１４が、１または複数のベーン傾斜部、ベーン溝等で形成されたポケット７７２内に、少なくともいくらかの空気を同伴する。同伴空気のポケット７７２は少なくとも部分的に、内部空間７１０を介する１または複数の間接経路７２２，７２４に沿う空気流の経路を定める。
【００５４】
いくつかの実施形態では、内部空間内のベーンの配置は、１または複数のベーンを使用して降水の向きを変えることにより、空間７０２から空間７０４に降水が通過するのを妨げる。例えば、図示の実施形態に示すように、１または複数の種々の液体を包含することのある降水７４０が、周囲環境を含むことのある空間７０２から内部空間７１０内に入り、列７６２内のベーンのベーン傾斜部で１または複数の経路７４４，７４２に沿って向きを変えることができる。図示のように、経路７４４はサイドパネル７０７に近接するベーン溝内に降水を導くことができる。
【００５５】
いくつかの実施形態では、図示の実施形態に示すように、１または複数のベーンを、１または複数のベーン溝が少なくとも部分的にパネル溝上に配置され、ベーン溝からの降水がパネル溝内に落下するように、内部空間内に配置することができる。したがって、図示の実施形態に示すように、経路７４４に沿って導かれ、パネル溝７６０上に位置するベーン溝から溢れる降水は、パネル溝７６０内に導くことができる。
【００５６】
いくつかの実施形態では、内部空間内のベーンの配置は、特定のベーンをバイパスする降水を他のベーン内に導く。間接経路を形成するベーンの配置は、内部空間を介する煙突効果で引き起こされる空気流の経路を定めると同時に、内部空間内に受け入れた降水を、１の特定の外部空間から内部空間を通して完全に通過するのを妨げるように、１または複数のベーンを使用して向きを変える。例えば、断面７００で示す受動的冷却システムが周囲環境（空間７０２）と構造体の内側筐体（空間７０４）との間に内部空間７１０を形成する場合、図示のベーン７１４の配置は、筐体７０４から煙突効果で引き起こされた空気流７２０を周囲環境７０２に向けて送り、一方、周囲環境７０２から内部空間７１０内に受け入れた降水７４０を、降水７４０が筐体７０４内に入るのを妨げるように、向きを変える間接経路を形成することができる。
【００５７】
他の実施例では、図示の実施形態に示すように、降水７４０が列７６２内のベーンで経路７４２に沿って導かれる場合、降水７４０をベーン溝７５２に導くことができ、ここでは降水はベーン溝７５２で集められ、内部空間に対する外部ポイント、パネル溝７６０に降水を導く出口、または、これらの組合せに向けて送られる。降水がパネル溝７５２から溢れる場所では、降水は、列７６４内のベーンで他のベーン溝７５４に向きを変えられ、これは降水を集め、内部空間に対する外部の他のポイント、パネル溝７６０に降水を導く他の出口、または、これらの組合せに送る。降水がパネル溝７５４から溢れる場所では、降水は列７６６内のベーンで他のベーン溝７５６に向きを変えられ、これは降水を集め、内部空間に対する他の外部ポイント、降水をパネル溝７６０に導く他の出口、または、これらの組合せに送る。いくつかの実施形態では、異なる列のベーンは、降水を内部空間に対して外部の共通ポイント、降水を共通のパネル溝７６０に導く共通の出口、または、これらのいくつかの組合せに、導く。
【００５８】
いくつかの実施形態では、内部空間内の１または複数のベーンが、１または複数の物理的形態を有する。例えば、図示の実施形態では、内部空間７１０内のベーン７１４は、ベーンのそれぞれが２つのベーン傾斜部とベーン傾斜部のそれぞれと連結されるベーン溝とを有するように、図４Ａ〜Ｃを参照して上記図示及び検討したベーンと少なくとも同様である。更に後述するように、種々のベーン形態が本開示により包含されることが認められる。
【００５９】
図８は、１の実施形態による空気ルーティング傾斜部を有する受動的冷却システムの概略的な断面図８００である。いくつかの実施形態では、断面図８００は、図３の断面３３３を参照して上で説明したと同様な、受動的冷却システムの一部の断面図である。
【００６０】
いくつかの実施形態では、受動的冷却システムの内部空間８１０内に配置される種々のベーンが種々の形態を備える。このような種々の形態は、空気、降水等を他の形態とは相違する形態で導くことができる。例えば、図示の実施形態に示すように、列８６６は、図７及び図４Ａ〜Ｃを参照して図示及び検討したものと同様な形態を有するベーンを備える一方、列８６２，８６４は異なる形態のベーンを備える。このようなベーン８１４は、空気がポケットに閉じ込まれるのを阻止するように、空気を１または複数の経路８２２，８２４に沿って導く空気ルーティング傾斜部８１８を有することができる。いくつかの実施形態では、空気ルーティング傾斜部は、内部空間８１０を通過する空気がベーンの少なくとも一部で形成されるポケット内に閉じ込まれるのを妨げる筐体が形成されるように、ベーンの１または複数のベーン傾斜部及びベーン溝に連結される。例えば、図示の実施形態では、空気ルーティング傾斜部８１８は、ベーン溝８３４に連結され、ベーン傾斜部８３２、ベーン溝８３４、及び、空気ルーティング傾斜部８１８で閉じられて経路８２２，８２４に沿って通過する空気８２０がベーン８１４の任意の部分で形成されるポケット内に閉じ込められるのを阻止する筐体８４０が形成される。対照的に、図示の実施形態に示すように、空気ルーティング傾斜部のないベーン８３８は、１または複数のベーン傾斜部、ベーン溝等に隣接し、内部空間８１０を通過する空気が閉じ込められるポケット８３６が形成されるように部分的筐体を有することができる。いくつかの実施形態では、ベーン形態は、空気流が間接経路に沿ってポケットで導かれるように、ポケット内にいくらかの空気を閉じ込める。
【００６１】
図９は、実施形態による受動的冷却システムの概略的な断面図である。いくつかの実施形態では、断面９００は、図３の断面３３３を参照する上述の説明のように受動的冷却システムの一部の断面である。
【００６２】
いくつかの実施形態では、内部空間内に配置された１または複数のベーンは１または複数のベーン溝を有し、ベーン傾斜部がない。例えば、図示の実施形態では、ベーン９１２は、内部空間９１０内で垂直で、水平方向にオフセットした列９６２，９６４に配置され、各ベーン９１２はベーン溝９１４を有し、ベーン傾斜部はない。いくつかの実施形態では、１または複数のベーン溝を有しかつベーン傾斜部のないベーンは、ベーンの下側に沿って空気を導くことができ、更に、降水をベーンの上側に沿って導くことができる。例えば、図示の実施形態に示すように、空間９０４から空間９０２に内部空間９１０を介して上昇する空気９２０は、煙突効果で引き起こされる流れであり、１または複数の間接経路９４２，９４４に沿ってベーン９１２の下側で導くことができ、一方、空間９０２から内部空間９１０内に受け入れた降水９２２，９２４は種々の列９６２，９６４内に配置されたベーン９１２で集めることができ、空間９０２から受け入れた降水は１または複数のベーン９１２により、内部空間９１０の外側の１または複数のポイント、１または複数のパネル溝９６０、または、これらの組合せに向けて送られる。
【００６３】
いくつかの実施形態では、１または複数のベーンサポートが、ベーンの一部または全ての形状に適合するように成形される。例えば、図示の実施形態では、ベーンサポート９５２が、ベーン９１２に少なくとも類似する形状を有するベーンの下側の部分に対応するように成形される。１または複数のベーンの１または複数の面の少なくとも一部の形状に部分的または完全に対応する形状を含む種々の形状を有するベーンサポートが、本開示に包含されることを理解すべきである。
【００６４】
図１０は、１の実施形態による受動的冷却システムの概略的な断面図１０００である。いくつかの実施形態では、断面図１０００は、図３の断面図３３３を参照する上述の説明のような受動的冷却システムの一部の断面である。
【００６５】
いくつかの実施形態では、受動的冷却システムは、種々の形態を有するベーンが配置される内部空間を有する。種々の形態は１または複数のベーン傾斜部、ベーン溝またはこれらの組合せを有することができる。ベーンが種々の列に配列される場合は、各列は１または複数の種々の形態を有することができる。特定の列は、他の列に関する列の配置に少なくとも部分的に基づいて１または複数の特定の形態を有するベーンを備えることができる。例えば、図示の実施形態に示すように、図１０は、垂直方向に配置されて、水平方向にオフセットした２つのベーンの列１０６２，１０６４を有する受動的冷却システムの断面１０００を示し、ここに、ベーンは別個の列内で１または複数の別個の形態を有する。図示の実施形態に示すように、列１０６２内のベーンはベーン傾斜部を有しかつベーン溝がなく、したがって、列１０６２内のベーンは内部空間１０１０内に受け入れた降水１０３２，１０３４，１０３６を、ベーン溝内には何らの降水を収集することなく、向きを変えることができる。ベーンが１または複数のベーン傾斜部をベーン溝とは別個に有する場合、ベーンは降水を他のベーン、溝などに向きを変えることができる。例えば、内部空間１０１０内に受け入れた降水１０３２は、ベーン１０１２のベーン傾斜部で１または複数のパネル溝１０６０内に向きを変えることができ、内部空間１０１０内に受け入れた降水１０３４，１０３６をベーン１０１２，１０１４の各ベーン傾斜部で他のベーン１０２８に向きを変えることができる。
【００６６】
列１０６２内のベーンとは対照的に、列１０６４内のベーンは少なくとも１のベーン溝を有することができる。例えば、列１０６４内のベーン１０２８は、ベーン１０１２からベーン傾斜部に導かれた降水１０３４をベーン溝で収集することなく１または複数のパネル溝内に向きを変えるように、ベーン溝とは独立したベーン傾斜部１０２６を有し、更に、ベーン１０１４からベーン傾斜部１０２４に向きを変えられた降水１０３６が、ベーン溝１０２５に沿って内部空間１０１０の外側のポイント、１または複数のパネル溝１０６０、または、これらの組合せに向けて送られるように、ベーン溝１０２５に連結されるベーン傾斜部１０２４を有する。
【００６７】
いくつかの実施形態では、特定のベーン列内の種々のベーンが１または複数の種々の異なる形態を有する。例えば、図示の実施形態に示すように、列１０６４はベーン１０２８，１０５２，１０５４を有し、ここでは、ベーン１０２８，１０５４は、２つのベーン傾斜部及び１のベーン溝を有するミラー形態を有し、一方、ベーン１０５２は図４Ａ〜Ｃを参照して図示及び検討したベーンと同様な形態を有する。
【００６８】
図１１は、１の実施形態による凹状湾曲部を有するベーンを設けた受動的冷却システムの概略的な断面図１１００である。いくつかの実施形態では、断面１１００は、図３の断面３３３参照する上述の説明のような受動的冷却システムの一部の断面である。
【００６９】
いくつかの実施形態では、受動的冷却システムは、１または複数の湾曲部材を有することのある１または複数のベーンを備えることができる。湾曲部材は、凸状湾曲、凹状湾曲等を含む非直線状湾曲を有する１または複数の面を包含することができる。例えば、図示の実施形態に示すように、内部空間１１１０は、上方に向く凹状湾曲部１１１４を有するベーン１１１２の１または複数の列１１６２，１１６４を備えることができる。このような湾曲部は、単一材料部材（single piece of material）で形成することができる。このような単一材料部材は、少なくとも部分的に、湾曲部への材料の鋳造、湾曲部への材料の曲げまたはこれらのある程度の組合せに基づいて湾曲部を設けることができる。例えば、図示の実施形態では、各ベーン１１１２は、各ベーン１１１２が湾曲部１１１４により形成されるベーン溝を包含するように、上方に向く凹状湾曲部に形成される単一材料部材で形成することができる。いくつかの実施形態では、１または複数のベーンが、１または複数の平坦な平面状面を含む１または複数の直線状部材を有する。
【００７０】
図１２は、１の実施形態による受動的冷却システムの概略的な断面図１２００である。いくつかの実施形態では、断面１２００は、図３の断面３３３を参照する上記説明のような受動的冷却システムの一部の断面である。
【００７１】
図１０を参照して上記検討したように、いくつかの実施形態では、受動的冷却システムは、種々の形態のベーンが配置される内部空間を有する。図示の実施形態に更に示すように、内部空間１２１０内の１または複数のベーンは、種々の非直線状湾曲部を有する種々の形態を有することができる。例えば、列１２６２は、それぞれ下方に向く凹状湾曲部を有するベーン１２１２を有することができる。このような湾曲部は、単一材料部材で形成することができる。例えば、図示の実施形態では、各ベーン１２１２は、各ベーン１２１２が湾曲部で形成された１または複数のベーン傾斜部を有するように、下方に向く凹状湾曲部に単一材料部材で形成することができる。
【００７２】
列１０６２に含まれるベーンとは対照的に、列１２６４内のベーンは、少なくとも１のベーン溝を有することができる。ベーンに様々な数のベーン傾斜部及びベーン溝を含むことは、１または複数のベーン傾斜部及びベーン溝が材料の異なる湾曲部で形成されるように、材料部材の変化する湾曲部で具体化することができる。例えば、図示の実施形態では、列１２６４内のベーン１２２４は、１または複数のベーン傾斜部を形成する下方に向く凹状湾曲面１２２７、及び、１または複数のベーン溝を形成する上方に向く凹状湾曲部１２２５を有する単一の材料部材を備えることができる。単一材料部材は、図１１を参照して上記で検討したように、１または複数の種々の工程に少なくとも部分的に基づいて変化する湾曲部を有することができる。いくつかの実施形態では、ベーン１２２４は、異なる湾曲部を有する部材を含む種々の材料部材から形成することができる。
【００７３】
上記で検討したように、いくつかの実施形態では、１または複数のベーンの列が、種々の形態を有するベーンを包含することができる。例えば、図示の実施形態に示すように、列１２６４は、少なくとも２つの別個の湾曲部を包含する上記検討した形態を有するベーン１２２４、ベーン１２２４にミラー形態を有するベーン１２２６、及び、少なくとも２つのベーン傾斜部と２つのベーン溝とを有するベーン１２２８のように、１または複数の下方に向く凹状湾曲部と２以上の上方に向く凹状湾曲部とを含む形態を有する１または複数のベーン１２２８を包含することができる。
【００７４】
図１３は、１の実施形態による穴あき（perforated）ベーンを包含する受動的冷却システムの一部の概略的な斜視図である。
【００７５】
いくつかの実施形態では、受動的冷却システム内の１または複数のベーンが、１または複数の面に１または複数の穿孔（perforation）を有する。ベーンの面の穿孔は、ベーンの特定の面上に受け入れた降水の一部または全てをこのベーンを通しで伝達することを含む、ベーンの種々の面間で種々の降水を伝達することができる。受動的冷却システムの種々のベーンは、ベーンの総量及び配置を相違させることができる。１または複数のベーンの穿孔は、ベーンを介して受け入れた降水の一部を他のベーンの面が受け入れるように伝達しつつ、ベーンがこのベーンの面で受け入れた降水の一部を、ベーンの１または複数のベーン溝に導くのを可能とする。このようなベーンは、所定の閾値内で任意のベーンが取り扱う降水の量を減少することができる。例えば、オーバーフローさせることなく、所定量に過ぎない流体閾値量を導くことのできるベーン溝を有する場合は、ベーンは、１または複数のベーン傾斜部の面を含む１または複数の面に１または複数の穿孔の配置を有し、他のベーンが伝達された降水の少なくとも一部を導くように、ベーンを介してこの面で受け入れた降水の一部を、他のベーンの面が受け入れるように伝達することができる。
【００７６】
例えば、図示の実施形態に示すように、受動的冷却システムシステム１３００は、ベーンの種々の列１３１０，１３２０，１３３０を有することができ、ここで、１または複数のベーンの列は種々の配置の穿孔を設けたベーンを有する。図示のように、ベーンの頂部の列１３１０は、ベーンの面上に受け入れた降水の一部をこのベーンを通して下側の列１３２０，１３３０の１または複数のベーンに伝達する特定の穿孔１３１２の配置を有することができる。図示の実施形態に更に示すように、穿孔は１または複数のベーン傾斜部の一部に設けることができる。いくつかの実施形態では、穿孔は１または複数のベーン溝の一部に設けることができる。
【００７７】
いくつかの実施形態では、種々のベーンの列は、受動的冷却システムの一端に近接する列のベーンが受動的冷却システムの他端に近接する列内のベーンよりも多くの穿孔を有するように、種々の穿孔の配置を有することができる。例えば、図示の実施形態に示すように、受動的冷却システム１３００の頂端に近接する列１３１０はベーンの１または複数の面に穿孔１３１２の配置を有することができるが、列１３２０は、列１３１０のベーンの穿孔１３１２の配置に対して穿孔の総計を低減した他の配置の穿孔１３１４を設けたベーンを有することができる。更に、列１３３０は、穿孔のないベーンを有することができる。いくつかの実施形態では、種々のベーン列を横断する穿孔の一部または全ての量、サイズ等の変化が、幾何学的関係、動力関係等を含む１または複数の関係に追従することができる。例えば、列１３１０のベーンの穿孔１３１２は、列１３２０のベーンの穿孔１３１４の２倍の量の流体を伝達することができる。このような伝達の相違は、少なくとも部分的に、種々のベーンの穿孔の量、サイズ、形状、配置等の相違に基づいていることがある。
【００７８】
いくつかの実施形態では、穿孔の配置は、ベーンの列を横断して変化し、１または複数の列の所定のベーンのベーン溝に導かれる降水の閾値レベルを維持する。例えば、図示の実施形態では、列１３１０に近接する頂端部から受動的冷却システム内に降水を受け入れる場合、列１３１０のベーンは、受け入れた降水の一部を、列１３１０のベーンのベーン溝に導かれた降水の量が所定の閾値レベルを維持するように、１または複数の後続の列のベーン１３２０，１３３０に伝達する穿孔１３１２の配置を有することができる。このような閾値レベルは、列１３１０の１または複数のベーンの１または複数のベーン溝の最大流体容量等を、予め定めることができる。
【００７９】
図示の実施形態では、ベーンの列１３１０の一方をバイパスする降水は、穿孔１３１２等によりこれを通して伝達され、少なくとも一部が、列１３２０のベーンの１または複数の面で受け入れ、このようなベーンは、受け入れた降水の一部をベーンを通して列１３３０のベーンに伝達する穿孔１３１４の他の配置を含むことができる。したがって、ベーンの列１３２０内のベーン溝に導かれる降水の量は、所定の閾値レベル内に維持される。穿孔１３１４の配置は、穿孔１３１２の配置に対して、減少した量の降水を伝達することができ、したがって、列１３２０のベーンの表面が受け入れた降水の大部分がベーン溝に向けられる。
【００８０】
図示の実施例では、ベーンのいずれかの列１３１０，１３２０をバイパスする降水は、穿孔１３１２，１３１４等によりベーンを通って伝達され、少なくとも一部を列１３３０のベーンの１または複数の面が受け入れ、このようなベーンは穿孔がなく、受け入れた降水の全てが列１３３０のベーン内のベーン溝に導かれる。列１３１０，１３２０のベーンは、列１３３０のベーンの面が受け入れる降水の最大量が、ある程度の所定レベルの確信で予測され、閾値レベル内に維持されるように、十分な量の降水をそれぞれの列１３１０，１３２０のベーン溝に導くことができる。
【００８１】
図１４は、１の実施形態による同一高さのダンパを設けられた受動的冷却システムの概略的な斜視図である。
【００８２】
いくつかの実施形態では、ダンパは少なくとも部分的に、１または複数の受動的冷却システムの内部空間を通る１または複数の経路を少なくとも部分的に規制するために使用することができる。経路規制は、種々の理由で具体化することができる。いくつかの実施形態では、受動的冷却システムの内部空間を通る経路は、１または複数のダンパにより規制することができ、内部空間介して排気が流れるのを少なくとも部分的に規制する。１または複数のダンパのセットは、受動的冷却システムの内部空間の１または複数の種々の端部に近接させ、少なくとも一部を内部空間内に、または、これらの組合せで位置させ、１または複数のダンパのセットを受動的冷却システムに設けることができる。
【００８３】
実施例として、図示の実施形態に示すように、システム１４００は、少なくとも上述の図３を参照して詳細に説明した関連する受動的冷却システム１４０２の頂端の上に位置する排気ダンパ１４０６のセット１４０４を有することができる。いくつかの実施形態では、ダンパシステムは、受動的冷却システムの１または複数の側部に同じ高さに配置することができる。例えば、図示の実施形態では、ダンパ１４０６のダンパシステム１４０４は、ダンパシステム１４０４と受動的冷却システム１４０２との間に間隙が介在しないように、受動的冷却システム１４０２の側部に同じ高さに配置することができる。排気ダンパは、少なくとも部分的に受動的冷却システム１４０２を通る１または複数の種々の経路を規制する形態に、個々にまたは少なくとも集合的に調整可能とすることができ、受動的冷却システムを通る排気を少なくとも部分的に規制する。以下に詳述するように、ダンパ１４０６は、構造体の少なくとも一部を介して排気の少なくとも一部が再循環し、筐体内の空気の１または複数のパラメータ等を調整するように、調整することができる。例えば、１または複数のダンパ１４０６を、調整、すなわち受動的冷却システム１４０２を通る１または複数の経路を規制して、筐体内の空気圧を増大することができる。
【００８４】
いくつかの実施形態では、周囲環境から受動的冷却システムの内部空間内に受け入れた環境部材が、受動的冷却システムの下方に筐体から環境部材を外に送る受動的冷却システムの閾値容量を超える場合、１または複数のダンパを調整してこのような環境部材が内部空間内に入るのを規制することができる。このような調整は、環境部材が所定の閾値を超え、所定期間内における予測等を超える速度で受動的冷却システムに入ってきていることの判断に応答することができる。例えば、図示の実施形態では、ダンパ１４０６は、受動的冷却システム１４０２の内部空間内に受け入れる降水量を含む環境部材の規模を調整して少なくとも部分的に規制し、そのように受け入れる環境部材の量が、所定期間にわたって受動的冷却システム１４０２内の種々の溝で送ることが可能な降水の所定の最大量を含む所定の閾値を超えないように計画することができる。
【００８５】
いくつかの実施形態では、１または複数のダンパが調整されて、環境部材が受動的冷却システムの内部空間内に受け入れられるのを阻止し、環境部材で損傷するのを防止することができる。例えば、環境部材が雪、あられ、砂、灰、粒状物質等を含む場合、１または複数のダンパ１４０６は、このような環境部材が受動的冷却システム１４０２の少なくとも一部に入るのを防止するように調整することができる。
【００８６】
図１５は、１の実施形態による関連する傾斜ダンパを有する受動的冷却システムの概略的な斜視図である。
【００８７】
いくつかの実施形態では、受動的冷却システムに設けられたダンパシステムの少なくとも一部が、受動的冷却システムに対して角度を付ける（傾斜した）ことができる。例えば、図示の実施形態では、システム１５００は、関連する受動的冷却システム１５０２の頂端の上に角度１５０９で配置することができるダンパ１５０６のダンパシステム１５０４を有することができ、中間スペース１５０８がダンパシステム１５０４と受動的冷却システム１５０２との間に位置する。ダンパシステムの角度付けは、少なくとも環境部材が受動的冷却システムの少なくとも一部に入り込むこと、１または複数の面に堆積すること、または、これらの組合せを、少なくとも防ぐことができる。例えば、環境部材が雪、あられ、砂、灰、粒状物質、１または複数の降水、液体等を含む場合は、角度付けダンパシステムは、ダンパの１または複数の形態に少なくとも基づいて、環境部材がダンパ１５０６上に堆積しないように、環境部材をダンパ１５０６のダンパシステム１５０４の下側に流し、沈降させ、泥沼状（slough）となるように導く。このように、角度付きダンパシステムで環境部材を導くことは、重さ、構造部材の浸食等によりストレスを与えることのある環境部材の集積による受動的冷却システムの一部または全体の損傷を防止することができる。
【００８８】
いくつかの実施形態では、１または複数のダンパを、１または複数の制御システムで制御することができ、これは、１または複数のダンパシステム内の１または複数のダンパを調整するように１または複数のモータに命令することができる。
【００８９】
図１６は、１の実施形態による受動的冷却システムを有する発熱システムの概略図である。システム１６００は、受動的冷却システム１６１６を含む筐体１６０２内の廃熱源１６０４から熱を除去する１または複数の部材を包含することができ、これは、煙突効果で引き起こされる筐体１６０２からの排気流を、受動的冷却システム１６１６内の１または複数の経路を介して周囲環境１６０１に送ることができる。
【００９０】
システム１６００内の受動的冷却システム１６１６の数は変更することができる。いくつかの実施形態では、横断ダクトをシステム１６００内に設け（例えば、供給側、戻り側または双方に）、空気を１または複数の筐体内で分散し及び／または向きを変えることができる。空気を取り扱うサブシステムは、１または複数の制御システムにより、共通して制御し、個別に制御し、または、その組合せで制御することができる。例えば、図示の実施形態では、システム１６００内の種々のサブシステムが、筐体１６０２の近部に、離隔した部位に、または、この組合せで配置された制御システム１６７０で少なくとも一部を制御することができる。制御システムは、１または複数のコンピュータシステムの一部または全体で少なくとも部分的に具体化することができる。
【００９１】
いくつかの実施形態では、１または複数の廃熱源１６０４からの排気１６３６の一部または全てが、１または複数の受動的冷却システム１６１６を介して排気流１６３８として周囲環境１６０１に導かれる。
【００９２】
いくつかの実施形態では、排気を周囲環境１６０１に送ることが望ましくないことがある。例えば、周囲環境１６０１が、受動的冷却システム１６１６を介する開放経路が筐体１６０２に追加の熱を導入することがあるような、排気１６３８よりも高温のことがある。他の実施例では、荒れ模様の天気により、環境部材が筐体１６０２内に入り、種々のシステムを損傷させるのを防止するために、筐体１６０２と周囲環境１６０１との間の経路の規制を必要とすることがある。１または複数のダンパシステムが、周囲環境１６０１に対する排気の流れ１６３８を制御し、排気の少なくとも一部を筐体１６０２内で再循環させることができる。例えば、１または複数の排気ダンパ１６１８及び再循環ダンパ１６１４を、制御システム１６７０による命令に少なくとも部分的に基づいて、調整し、空気流１６３８を調整することができる。排気１６３６の一部は、周囲環境１６０１に送られず、筐体１６０２内で再循環１６４２することができる。いくつかの実施形態では、再循環１６４２される排気は、再循環空気１６４２を冷却空気１６４４に冷却する冷却システム１６０６に送られる。
【００９３】
いくつかの実施形態では、廃熱源１６０４の少なくとも一部が、１または複数の吸気ダンパ１６１０を介して周囲環境１６０３から吸気１６３２として受け入れた冷却空気１６３４を提供される。冷却空気は、少なくとも一部が再循環空気１６４４を含み、空気混合ダンパ１６１２を介して吸気１６３２と混合することができる。いくつかの実施形態では、１または複数の空気混合ダンパ１６１２、吸気ダンパ１６１０が制御システム１６７０で調整することができ、冷却された再循環空気１６４４と混合する吸気１６３２の量を調整することができる。
【００９４】
冷却システム１６０６は、冷却材ループ１６４０及び再生システム１６２０に連結することができる。冷却システム１６０６は、熱を再循環された空気から冷却材ループ１６４０を通過する冷却材に移送する１または複数の熱交換器を有することができ、これにより、再循環された空気１６４２が再循環された冷却空気１６４４に冷却される。
【００９５】
冷却材ループ１６４０は、冷却システム１６０６に入る再循環された空気１６４２と、熱伝達連絡して連結される。冷却材ループ１６４０を通る冷却材の流れは、制御システム１６７０からの信号に少なくとも部分的に基づいて制御することができる。冷却材の流れは、冷却空気１６４２内の冷却材の使用を調整するために調整することができる。いくつかの実施形態では、冷却材は水を包含する。
【００９６】
冷却システム１６０６は、空調サブシステムを有することができる。他の実施形態では、冷却システム１６０６は、冷却塔サブシステムを有することができる。更に他の実施形態では、冷却システム１６０６は、水供給（service water）サブシステムを有することができる。特定の実施形態では、空調冷却システム等の機械的な冷却システムが、冷却システム１６０６内で再循環された空気１６４２の空気に直接熱伝達連絡することができる。
【００９７】
制御システム１６７０は、１または複数の廃熱源１６０４からの廃熱の除去を容易とするために、システム１６００内の１または複数の装置を制御するようにプログラムすることができる。例えば、図示の実施形態では、制御システム１６７０は、吸気ダンパ１６１０、空気混合ダンパ１６１２、廃熱源１６０４、再循環ダンパ１６１４、排気ダンパ１６１８、冷却システム１６０６、冷却材ループ１６４０、再循環システム１６２０に連結される。制御システム１６７０は、温度センサ、湿度センサ、圧力センサ、または、これらのいくつかの組合せとデータ通信することができる。いくつかの実施形態では、システム１６００内の装置は、自動で、手動で、または、これらのいくつかの組合せで制御することができる。
【００９８】
特定の実施形態では、制御システム１６７０は、特に、オペレータからの命令信号に基づいてシステム１６００の１または複数のダンパを開閉し、現行の作動状態の必要に応じて筐体１６０２を通る空気流を通す。これに代え、制御システム１６７０は、１または複数のダンパの一部または全てを、完全開位置と完全閉位置との間で調整し、種々の部材を介する空気流を調整することができる。
【００９９】
種々の実施形態では、システム１６００の１または複数の部材の操作は、１または複数の状態に応じて制御することができる。例えば、制御システム１６７０は、周囲環境１６０３の周囲温度及び湿度等の１つまたは複数が所定の状態にあるときに、冷却空気１６３４用の空気源を循環された冷却空気１６４４の空気から吸気１６３２に切り換えるように、プログラムすることができる。
【０１００】
種々の実施形態では、システム１６００は２つまたはそれ以上の異なる冷却モードで作動することができる。どのようなときでも、作動モードは、周囲空気の特性、システム１６００内の種々の位置における空気の特性、及び、筐体または近部に支配的な他の特徴に基づいて選択することができる。種々の実施形態では、システム１６００は、種々のときに種々の冷却作動モードで作動することができ、筐体１６０２の冷却に必要なエネルギ量を最小にすることができる。種々の冷却作動モードでの作動は、部材のより効果的な使用を可能とし、冷却システム１６０６の１または複数の部材のサイズ／容量の低減を可能とし、システム１６００の作動コストを低減し、及び／または、冷却効率を向上する（廃熱源１６０４のより低い作動温度を通して等）ことができる。
【０１０１】
いくつかの実施形態では、冷却システム１６０６は、断熱システム及び機械的冷却部を有する。断熱システムは、例えば、湿った媒体を有する冷却システム１６０６内の直接蒸発冷却器とすることができる。機械的冷却システムは、例えば冷却システム１６０６内の空調冷却システムとすることができる。断熱システム及び機械的システムは、確立した制御状態に基づいて選択的に採用及び調整することができる。機械的冷却システムは、再循環された空気１６４２を直接的、間接的（例えば、冷却材ループ１６４０を介して循環される冷水により）、または、これらの組合せにより、冷却することができる。特定の実施形態では、冷却システム１６０６は蒸発冷却システム（直接または間接）を、機械的システムの下流側の蒸発冷却システム（直接または間接）に代えてまたは追加して、機械的冷却システムの上流側に有することができる。
【０１０２】
いくつかの実施形態では、冷却材ループ１６４０に使用される冷却材は、受動的冷却システム１６１６から再生システム１６２０に送られる１または複数の流体である。上記で詳細に検討したように、受動的冷却システムは、受動的冷却システムの内部空間内に受け入れた降水を含む環境部材を、受動的冷却システムから出口に送ることができる。いくつかの実施形態では、受動的冷却システムの内部空間内に少なくとも部分的に受け入れられた水を含む降水は、１または複数の経路１６１９を介して再生システム１６２０に送られ、降水は、少なくとも一部が再循環された空気１６４２を冷やすために使用される。例えば、冷却材ループ１６４０が冷水を冷却システム１６０６に通過させ、再循環された空気１６４２から１または複数の種々の形態の熱伝達を介して熱を除去する場合、このような冷水は、再生システム１６２０から冷却材ループ１６４０に供給することができ、ここで、水は、少なくとも一部を受動的冷却システム１６１６内に受け入れられた降水１６１７で周囲環境１６０１から再生システム１６２０に供給され、受動的冷却システム１６１６から再生システム１６２０に、１または複数の経路１６１９を介して送られる。いくつかの実施形態では、再生システム１６２０に経路１６１９を介して受け入れられた降水を含む流体は、冷却材ループ１６４０に供給される前に冷やすことができる。
【０１０３】
図１７は、１の実施形態による１または複数の受動的冷却システムに設けられたダンパの管理構成を示す。このように管理されるダンパは、１または複数の受動的冷却システムに設けることができる１または複数のダンパシステム内に含まれる１または複数の排気ダンパを有することができる。
【０１０４】
ダンパ形態の管理は、自動で、手動で、または、これらのいくらかの組合せにより達成することができる。いくつかの実施形態では、ダンパ形態の管理は、１または複数のコンピュータシステムで少なくとも部分的に具体化することができる制御システムに少なくとも部分的に基づいて達成することができる。１７００において、制御状態に対するセットポイントが確立される。セットポイントは、１または複数のダンパの初期形態を含むことができる。例えば、ダンパは、自由冷却モードを含む特定の初期作動モードに一致した初期形態に調整することができる。１７０２において、入力データが分析される。入力データは、受動的冷却システムを含むシステム内の種々のポイントの空気の特性を包含することができる。乾球温度、湿球温度、湿度及び圧力等の測定は、周囲空気、吸気、再循環される空気、または、任意の他の位置等に対して行うことができる。
【０１０５】
１７０４において、冷却システムの作動モードが変更されるように命令されているかどうか判断する。命令は、自動命令、手動命令またはこれらのいくつの組合せに基づいて１または複数の制御システムから送信することができる。冷却システムの作動モードが変更されると、１７１８において、変更された作動モードを少なくとも部分的に容易とするために、新しいダンパ形態が決定される。例えば、ダンパに関連する冷却システムが、吸気を使用する１または複数の廃熱源の冷却から、再循環された空気での廃熱源の冷却に変更されると、受動的冷却システムに連結された排気ダンパを、受動的冷却システムを通る空気流を規制し、冷却システムを介して排気を再循環する新たな形態に決定することができる。１７２０において、このように決定されたダンパ形態は、１または複数のコンピュータシステムで命令され、それに基づいてダンパが調整される。例えば、少なくとも一部が１または複数のコンピュータシステムで具体化される制御システムは、１または複数のダンパに設けられた１または複数のモータを命令し、決定されたダンパ形態にしたがって１または複数のダンパを調整する。
【０１０６】
１７０８において、作動モードは変更されない場合は、周囲状態が吸気、排気、または、これらのいくつかの組合せの１または複数に対して変更されているかどうか判断する。周囲状態が変更され、１または複数の閾値パラメータ値を超え、または、これらのいくらかの組合せが存在すると判断すると、１７１８で新しいダンパ形態を決定し、１７２０で命令することができる。１７１８におけるこのような判断は、作動モードを選択することを含む。例えば、周囲温度が最大閾値よりも高い場合は、制御システムは、受動的冷却システムを通って周囲環境に送るルーティングから、排気の再循環に切り換え、更に、このような排気の再循環を容易とする排気ダンパの新たなを決定することができる。
【０１０７】
１７１２において、周囲状態が変化せず、１または複数の閾値パラメータ値を超えず、または、これらのいくつかの組合せの場合は、筐体、受動的冷却システムの内部空間等の１または複数の内部状態が変化したかどうか判断する。内部状態が変化し、１または複数の閾値パラメータ値を超え、または、これらのいくつかの組合せの状態が検出されると、１７１８で新しいダンパ形態が決定され、１７２０で命令される。１７１８におけるこのような決定は、作動モードを選択することを含む。例えば、１または複数の廃熱源を有する筐体の内部温度が最大閾値よりも大きい場合、制御システムは、筐体からの排気の流れを増大する排気ダンパの新しい形態を決定することができる。他の実施例では、筐体の内部空気圧が閾値よりも低い場合、制御システムは、受動的冷却システムを通る空気流を規制することにより、筐体の内部空気圧を増大する排気ダンパの新しい形態を決定することができる。
【０１０８】
１７１６において、内部状態が変化しない場合は、現在のダンパ形態、作動モード等を維持することができ、入力データは継続して分析することができる。
【０１０９】
図１８は、いくつかの実施形態で使用することができる例示的なコンピュータシステムを説明するブロック図である。
【０１１０】
いくつかの実施形態では、制限するものではないが、受動的冷却システムの一部または全体、１または複数のダンパシステム、空気取扱システムの１または複数の構成部材、筐体冷却制御システム、冷却制御システムに含まれる１または複数のモジュール、及び、空気分散管理方法、システム、装置、及び、本明細書に記載の装置を含む１または複数の技術の一部または全てを具体化するシステムは、図１８に示すコンピュータシステム１８００等の、１または複数のコンピュータアクセス可能な媒体を含み、または、アクセスするように構成される多目的コンピュータシステムを包含することができる。図示の実施形態では、コンピュータシステム１８００は、入出力（Ｉ／Ｏ）インターフェース１８３０を介してシステムメモリ１８２０に連結される１または複数のプロセッサ１８１０を包含する。コンピュータシステム１８００は、更に、Ｉ／Ｏインターフェース１８３０に連結されるネットワークインターフェース１８４０を包含する。
【０１１１】
種々の実施形態では、コンピュータシステム１８００は、１のプロセッサ１８１０を包含する単一プロセッサシステム、または、複数のプロセッサ１８１０（例えば２つ、４つ、８つ、または、他の適宜数）を包含するマルチプロセッサシステムとすることができる。プロセッサ１８１０は、命令を実行することが可能な任意の好適なプロセッサとすることができる。例えば、種々の実施形態では、プロセッサ１８１０は、ｘ８６、ＰｏｗｅｒＰＣ、ＳＰＡＲＣまたはＭＩＰＳ  ＩＳＡ、または、任意の他の適当なＩＳＡ等の種々の命令セット構造（ＩＳＡ）を具体化する多目的または埋込みプロセッサとすることができる。マルチプロセッサシステムでは、プロセッサ１８１０のそれぞれは一般的なものとすることができるが、しかしながら、同じＩＳＡを具体化することは必ずしも必要でない。
【０１１２】
システムメモリ１８２０は、プロセッサ（複数を含む）１８１０がアクセス可能な命令及びデータを格納するように構成することができる。種々の実施形態では、システムメモリ１８２０は、スタティックランダムアクセスメモリ（ＳＲＡＭ）、同期性ダイナミックＲＡＭ（ＳＤＲＡＭ）、非揮発性／フラッシュメモリ、または、任意の他のタイプのメモリ等任意の適切なメモリ技術を使用して具体化することができる。図示の実施形態では、受動的冷却システムの一部または全て、１または複数のダンパシステム、冷却制御システムに包含される１または複数のモジュール、及び、本明細書に記載の空気分配管理方法、システム、装置及び機器等の１または複数の所要の機能を具体化するプログラム命令及びデータは、コード１８２５及びデータ１８２６としてシステムメモリ１８２０に格納して示してある。
【０１１３】
１の実施形態では、入出力インターフェース１８３０は、プロセッサ１８１０、システムメモリ１８２０、及び、ネットワークインターフェース１８４０または他の周辺インターフェースを含む装置内の任意の周辺装置の間で、入出力トラフィックを調整するように構成することができる。いくつかの実施形態では、入出力インターフェース１８３０は、任意の必要なプロトコル、タイミング、または、１の素子（例えばシステムメモリ７２０）から他の素子（例えばプロセッサ１８１０）が使用するのに適したフォーマットにデータ信号を変換する他のデータ媒体変換を実行することができる。いくつかの実施形態では、入出力インターフェース１８３０は、例えば、ＰＣＩ（Peripheral Component Interconnect (PCI)）バス基準またはＵＳＢ（Universal Serial Bus (USB)）基準の変形例等の種々のタイプの周辺バスを通して取付けられる装置のためのサポートを有することができる。いくつかの実施形態では、入出力インターフェース１８３０の機能は、例えばノースブリッジとサウスブリッジ等の２つまたはそれ以上の別箇の部材に分割することができる。更に、いくつかの実施形態では、システムメモリ１８２０に対するインターフェース等、入出力インターフェース１８３０の一部または全てを直接プロセッサ１８１０に組込むことができる。
【０１１４】
ネットワークインターフェース１８４０は、コンピュータシステム１８００と、１または複数のネットワーク１８５０に取付けられた、例えば図１〜１７に示すような他のコンピュータシステムまたは装置等の他の装置１８６０との間でデータを交換することができるように構成することができる。例えば、ネットワークインターフェース１８４０は、コンピュータシステム１８００と、受動的冷却システムの一部または全て、１または複数のダンパシステム、空気取扱いシステムの１または複数の構成部材、筐体冷却制御システム、冷却制御システムに含まれる１または複数のモジュール、及び、本明細書に記載の空気分散管理、装置及び機器等の１または複数との間でデータを交換できるように構成することができる。種々の実施形態では、ネットワークインターフェース１８４０は、例えばイーサネット（登録商標）タイプのネットワーク等、任意の適宜のワイヤードまたはワイヤレスの一般的データネットワークを介して、通信をサポートすることができる。更に、ネットワークインターフェース１８４０は、アナログ音声ネットワークまたはデジタルファイバ通信ネットワーク等の電気通信／電話通信ネットワークを介し、ファイバチャンネルＳＡＮ等のストレージエリアネットワークを介し、または、他の任意の好適なタイプのネットワーク及び／またはプロトコルを介する通信をサポートすることができる。
【０１１５】
いくつかの実施形態では、システムメモリ１８２０は、図１〜１７に関して上述したように、空気分散管理方法の実施形態を具体化するためのプログラム命令及びデータを格納するように構成されたコンピュータアクセス可能な媒体の１の実施形態とすることができる。他の実施形態では、プログラム命令及び／またはデータは、異なるタイプのコンピュータアクセス可能な媒体に受信し、送信しまたは格納することができる。一般的に、コンピュータアクセス可能な媒体は、例えば入出力インターフェース１８３０を介してコンピュータシステム１８００に連結されたディスクまたはＤＶＤ／ＣＤ等の磁気または光学式媒体等の非一時的（non-transitory）格納媒体または記憶媒体を含むことができる。非一次的コンピュータアクセス可能な格納媒体は、更に、任意の揮発性またはＲＡＭ（例えばＳＤＲＡＭ、ＤＤＲ  ＳＤＲＡＭ、ＲＤＲＡＭ、ＳＲＡＭ等）、ＲＯＭ等、非揮発性媒体を含むことができ、これらは、システムメモリ１８２０または他のタイプのメモリとしてコンピュータシステム１８００のいくつかの実施形態に包含することができる。更に、コンピュータアクセス可能な媒体は、伝送媒体、または、ネットワーク及び／または例えばネットワークインターフェース１８４０を介して具体化することができるワイヤレスリンク等、通信媒体を介して搬送される電気、電磁またはデジタル信号等の信号を含むことができる。
【０１１６】
種々の実施形態は、更に、コンピュータアクセス可能媒体に関する上記説明にしたがって具体化される命令及び／またはデータの受信、送信、または、格納することを包含する。一般的に、コンピュータアクセス可能媒体は、例えばディスク、または、ＤＶＤ／ＣＤ−ＲＯＭである磁気または光学式媒体等の格納媒体または記憶媒体、揮発性またはＲＡＭ（例えばＳＤＲＡＭ、ＤＤＲ、ＲＤＲＡＭ、ＳＲＡＭ等）、ＲＯＭ等の非揮発性媒体、及び、伝送媒体、または、ネットワーク及び／またはワイヤレスリンク等の通信媒体を介して搬送される電気、電磁またはデジタル信号等の信号が包含される。
【０１１７】
本開示の実施形態は、以下の条項を考慮して説明することが可能である。
項１．データセンタであって、
排気を出す少なくとも１のコンピューティングシステムを有するコンピュータ室、及び、
前記排気を、煙突効果により前記コンピュータ室からコンピュータ室の外の周囲環境に送るように構成され、更に、周囲環境から受動的冷却システム内に受け入れた液体がコンピュータ室に入るのを妨げるように構成される受動的冷却システムを備え、この受動的冷却システムは、
側部が複数のサイドパネルに少なくとも部分的に隣接し、底部を通して前記コンピュータ室の少なくとも一部に開口し、頂部を通して周囲環境に開口する内部空間と、
前記内部空間内に配置される複数のベーンとを有し、前記複数のベーンのそれぞれが、
液体を収集するように構成された少なくとも１のベーン溝と
前記受動的冷却システム内に周囲環境から受け入れた液体を前記少なくとも１のベーン溝内に送るように構成された少なくともベーン傾斜部とを有し、
前記複数のベーンは、複数の垂直配置のベーン列に、各ベーン列のそれぞれが垂直軸内で、ベーン列の残りの少なくとも1つのベーンから水平方向にオフセットし、複数のベーンが共同して排気を、コンピュータ室から周囲環境に向けて煙突効果により非直線状の経路に沿って送るように、配置され、更に、
前記複数のサイドパネルの少なくとも１つの少なくとも1つの内面に沿って延び、液体を内部空間の外部に送るように構成される少なくとも1のパネル溝を有し、
前記複数のベーンのそれぞれは、前記受動的冷却システム内に周囲環境から受け入れた液体が前記内部空間の外部に送られるように、前記少なくとも１のベーン溝から少なくとも１のパネル溝に液体を送るように構成される。
項２．前記受動的冷却システムは、
前記複数のサイドパネルの少なくとも1つに連結された複数のベーンサポートを備え、前記ベーンサポートのそれぞれは、前記複数のサイドパネルの少なくとも１つから離隔した前記内部空間内の特定位置に前記複数のベーンの少なくとも１つを、
前記少なくとも１のベーンと前記複数のサイドパネルの少なくとも１つの間に間隙が形成され、
前記少なくとも１のベーンが、液体を前記少なくとも１のベーンの少なくとも１のベーン溝から前記間隙を介して前記少なくとも１のパネル溝に送るように、位置する、項１のデータセンタ。
項３．前記受動的冷却システムの少なくとも頂部の上に位置され、前記内部空間から周囲環境への排気の流れを少なくとも部分的に規制するように構成される調整可能ダンパのセットを備える、項１または２のデータセンタ。
項４．前記コンピュータ室の少なくとも一部内で前記排気の少なくとも一部の再循環を実行するように構成される制御システムを備え、この制御システムは、前記排気の流れを少なくとも部分的に規制するように、前記調節可能ダンパの少なくとも一部の形態変更を命令するように構成される、項３のデータセンタ。
項５．内部空間に少なくとも部分的に隣接するように構成される複数のサイドパネル、及び、
前記内部空間内に配置される複数のベーンを備え、これらの複数のベーンの少なくとも１つはベーン傾斜部とベーン溝とを有し、前記複数のベーンの少なくとも１つは、前記内部空間内に受け入れた流体の少なくとも一部を、前記ベーン傾斜部の少なくとも一部に基づいて前記ベーン溝内に送るように構成され、更に、
前記複数のベーンは、垂直に配置され、水平方向にオフセットする複数の列内に配置され、前記列の少なくとも１つは、前記複数のベーンの少なくとも１つを、前記複数のベーンが前記内部空間を通る間接経路を形成するように包含し、前記複数のベーンは、前記内部空間内に受け入れた流体を、前記複数のベーンの少なくとも１のベーン溝に導くように、少なくとも一部が構成され、更に、
前記複数のサイドパネルの少なくとも１つに連結される少なくとも１のパネル溝を備え、前記少なくとも１のパネル溝は、前記ベーン溝の少なくとも１つから流体を受け入れるように構成され、前記内部空間内に受け入れられて前記少なくとも１のベーン溝に導かれる流体の少なくとも一部が、前記少なくとも１のベーン溝を介して、更に、前記少なくとも１のパネル溝に導かれる、装置。
項６．前記内部空間を通る前記間接経路は、更に、少なくとも一部が前記内部空間内の煙突効果に基づいて、この間接経路に沿って周囲環境に、前記内部空間を通る空気流が受動的に引き起こされるように構成される、項５の装置。
項７．前記煙突効果は、
筐体の少なくとも一部と周囲環境との間の圧力差、または、
前記筐体の少なくとも一部と周囲環境との間の温度差、の少なくとも一方により、前記内部空間内に引き起こされる、項６の装置。
項８．前記複数のベーンの少なくとも１つは、前記内部空間を通る空気流を少なくとも部分的に規制するように、前記内部空間内に調節可能に位置するように構成される、項５から７のいずれかの装置。
項９．前記内部空間内の空気流を少なくとも部分的に規制するように構成可能な少なくとも１つの調節可能なダンパを備える、項５から８のいずれかの装置。
項１０．前記複数の垂直方向に配置され、水平方向にオフセットするベーンの列は、
水平方向に配置された穴あきベーン上側の列を備え、この穴あきベーンの少なくとも１つは、受け入れた流体の一部を少なくとも１の穴あきベーンの穴あき面に、穴あきベーンの少なくとも１つを通して伝達し、流体の他の部分を少なくとも１つの穴あきベーンの少なくとも１のベーン溝に導くように構成され、更に、
水平方向に配置された非穴あきベーンの下側の列を備え、この非穴あきベーンの少なくとも１は、穴あきベーンの少なくとも１を通して伝達された流体の一部を、少なくとも１の非穴あきベーンの少なくとも１のベーン溝に導くように構成される、項５から９のいずれかの装置。
項１１．前記複数の垂直方向に配置され、水平方向にオフセットしたベーン列は、
水平方向に配置されたベーンの上側の列を備え、このベーンは、上側の列の少なくとも１のベーン溝が受け入れた流体を、特定のサイドパネルに連結された特定のパネル溝に向けて導くように、特定の角度に配置され、更に、
水平方向に配置されたベーンの下側の列を備え、このベーンは、下側の列の少なくとも１のベーンの少なくとも１のベーン溝が受け入れた流体を、他のサイドパネルに連結された他のパネル溝に向けて導くように他の角度で配置される、項５から１０のいずれかの装置。
項１２．前記特定の角度及び他の角度の少なくとも１つは、前記複数のベーンの少なくとも１のベーン溝に排水勾配を形成し、前記複数のベーンの少なくとも１つのベーン溝が受け入れた流体を、前記排水勾配に沿って前記複数のベーンの少なくとも１のベーン溝の特定の端部に向けて導く、項１１の装置。
項１３．前記少なくとも１のパネル溝は、前記少なくとも１のベーン溝から受け入れた流体を機械的冷却システムの再生システム内に導くように構成される、項５から１２のいずれかの装置。
項１４．前記複数のベーンの前記少なくとも１つは、
それぞれが前記複数のベーンの前記少なくとも１つの長手方向軸に沿って延び、それぞれの側縁部を一緒に連結され、それぞれが前記複数のベーンの前記少なくとも１の短手方向軸に沿って下方に角度を付けられる２つのベーン傾斜部、及び、
それぞれが前記複数のベーンの前記少なくとも１つの長手方向軸に沿って延び、個々に前記２つのベーン傾斜部の別個の１つに連結される２つのベーン溝を備え、前記複数のベーンの前記少なくとも１つは、前記２つのベーン傾斜部の１つの面が受け入れた流体を、前記２つのベーン傾斜部の１つに連結された前記２つのベーン溝のそれぞれの１つに導くように構成される、項５から１３のいずれかの装置。
項１５．前記複数のベーンの少なくとも１つは、少なくとも１の非直線状湾曲部を有する少なくとも１つの面を備える、項５から１４のいずれかの装置。
項１６．下端部で内部空間に少なくとも部分的に開口し、上端部で周囲環境に少なくとも部分的に開口する部分的筐体、及び、
前記部分的筐体内に配置され、前記部分的筐体の下端部から前記部分的筐体の上端部に、少なくとも１の垂直方向に配置された間接経路を形成する少なくとも１のベーンを備え、
前記少なくとも１のベーンは、少なくとも一部が煙突効果に基づいて、内部環境から周囲環境に、少なくとも１の垂直方向に配置された間接経路に沿って、前記部分的筐体を通って空気を受動的に導くように構成され、
前記少なくとも１のベーンは、周囲環境から前記部分的筐体の上端部を介して前記部分的筐体内に入る降水の向きを変え、降水が部分的筐体から除去されるように構成される、装置。
項１７．前記少なくとも１のベーンは、前記部分的筐体内に配置され、前記部分的筐体内の複数の垂直方向に配置される水平方向にオフセットした複数の列に配置される複数のベーンの１つであり、各列は、少なくとも１の他の列のベーンから水平方向にオフセットしたベーンを有し、前記複数のベーンは、前記部分的筐体の下端部から部分的筐体の上端部に、少なくとも１の垂直方向に向く間接経路を形成する、項１６の装置。
項１８．前記部分的筐体の内縁部の少なくとも一部に沿って延び、前記部分的筐体からの降水を捕捉しかつ除去するように構成される少なくとも１のパネル溝を備え、
前記少なくとも１のベーンは、周囲環境から上端部を介して前記部分的筐体内に入った降水の向きを変え、降水を部分的筐体から除去するように構成される、項１６または１７の装置。
項１９．前記少なくとも１のベーンは、周囲環境から前記上端部を介して前記部分的筐体に入る降水を集めるように構成されたベーン溝を備え、
周囲環境から上端部を介して部分的筐体に入る降水を前記少なくとも１のパネル溝内に向きを変えるため、前記少なくとも１のベーンは、前記ベーン溝の少なくとも一部を介して集めた降水を前記部分的筐体の外部の位置に導くように構成される、項１６または１８の装置。
項２０．前記部分的筐体の少なくとも１の内縁部に連結され、前記少なくとも１のベーンを前記部分的筐体の側部から離隔させて位置させるように構成され、前記少なくとも１のベーンの一端と前記部分的筐体の少なくとも１の内縁部との間に間隙を形成する少なくとも１のベーンサポートを備える、項１６から１９のいずれかの装置。
【０１１８】
図に示し、本明細書に検討する種々の方法は、方法の例示的な実施形態を表す。この方法は、ソフトウェア、ハードウェアまたはその組合せにより実行することができる。方法の順番は変更することができ、種々の要素を追加し、並び換え、組合せ、省略し、変更する等を行うことができる。
【０１１９】
上述の実施形態はかなり詳細に検討してきたが、上記開示が一度完全に理解されるならば、当業者にとって自明な種々の変形および変更が明らかとなる。以下の請求の範囲は、このような変形及び変更の全てを包含すると解釈されることを意味するものである。
【図１】
0006370894.tif 000002
【図２】
0006370894.tif 000003
【図３】
0006370894.tif 000004
【図４Ａ】
0006370894.tif 000005
【図４Ｂ】
0006370894.tif 000006
【図４Ｃ】
0006370894.tif 000007
【図５Ａ】
0006370894.tif 000008
【図５Ｂ】
0006370894.tif 000009
【図６Ａ】
0006370894.tif 000010
【図６Ｂ】
0006370894.tif 000011
【図７】
0006370894.tif 000012
【図８】
0006370894.tif 000013
【図９】
0006370894.tif 000014
【図１０】
0006370894.tif 000015
【図１１】
0006370894.tif 000016
【図１２】
0006370894.tif 000017
【図１３】
0006370894.tif 000018
【図１４】
0006370894.tif 000019
【図１５】
0006370894.tif 000020
【図１６】
0006370894.tif 000021
【図１７】
0006370894.tif 000022
【図１８】
0006370894.tif 000023